(57)【特許請求の範囲】
【請求項１】
ワイヤレス通信ネットワークのワイヤレスデバイスにおける方法であって、
前記ワイヤレス通信ネットワークによってサポートされる物理リソースチャネルの総数よりも少ない数の物理リソースチャネル、及び、前記ワイヤレス通信ネットワークの総帯域幅の送信−受信周波数分離よりも小さい送信−受信周波数分離を使用するワイヤレス信号の送受信を含む狭帯域幅動作に、前記ワイヤレスデバイスが対応可能であると判断すること（６１２）と、
測定パターンに関連付けられたパラメータを入手すること（６１４）であって、前記測定パターンが、
第１の時間期間および第２の時間期間と、
物理リソースチャネルの第１のセットにおいて送信される１つまたは複数の無線信号上で前記第１の時間期間中に実行されることになる、１つまたは複数の第１のタイプの無線測定と、
物理リソースチャネルの第２のセットにおいて送信される１つまたは複数の無線信号上で前記第２の時間期間中に実行されることになる、１つまたは複数の第２のタイプの無線測定であって、前記物理リソースチャネルの第２のセットの少なくとも１つの物理リソースチャネルが、前記物理リソースチャネルの第１のセットの物理リソースチャネルとは異なる、１つまたは複数の第２のタイプの無線測定と
を含む、入手すること（６１４）と、
前記入手したパラメータ、および前記ワイヤレスデバイスが狭帯域幅動作に対応可能であるという前記判断を用いて、測定パターンを決定すること（６１６）と、
前記第１の時間期間中に１つまたは複数の前記第１のタイプの無線測定を実行すること（６１８）と
を含む、方法。
【請求項２】
前記物理リソースチャネルの第１のセットが、第１の数の物理リソースチャネルを含み、物理リソースチャネルの前記第１の数が、前記ワイヤレス通信ネットワークによってサポートされる物理リソースチャネルの前記総数よりも少ない、請求項１に記載の方法。
【請求項３】
前記物理リソースチャネルの第２のセットが、第２の数の物理リソースチャネルを含み、
物理リソースチャネルの前記第２の数が、物理リソースチャネルの前記第１の数よりも大きい、
請求項２に記載の方法。
【請求項４】
前記物理リソースチャネルの第１のセットの送信−受信中心周波数分離が、前記ワイヤレス通信ネットワークの前記総帯域幅の送信−受信中心周波数分離よりも小さい、請求項１から３のいずれか一項に記載の方法。
【請求項５】
前記物理リソースチャネルの第１のセットが、前記ワイヤレス通信ネットワークの帯域幅内の特定の周波数位置に位置し、前記物理リソースチャネルの第２のセットが、前記ワイヤレス通信ネットワークの前記帯域幅内の任意の周波数位置に位置する、請求項１から４のいずれか一項に記載の方法。
【請求項６】
前記物理リソースチャネルの第１のセットが、前記ワイヤレス通信ネットワークの前記帯域幅の中心に位置する、請求項５に記載の方法。
【請求項７】
前記物理リソースチャネルの第１のセットが、６つの物理リソースブロックを含む、請求項１から６のいずれか一項に記載の方法。
【請求項８】
前記ワイヤレスデバイスが狭帯域幅動作に対応可能であると判断すること（６１２）が、ネットワークノードから設定メッセージを受信することを含む、請求項１から７のいずれか一項に記載の方法。
【請求項９】
前記物理リソースチャネルの第１のセットが、アップリンク物理リソースチャネルおよびダウンリンク物理リソースチャネルを含み、
前記アップリンク物理リソースチャネルが、前記ワイヤレス通信ネットワークの前記帯域幅内の第１の場所に位置し、
前記ダウンリンク物理リソースチャネルが、前記ワイヤレス通信ネットワークの前記帯域幅内の第２の場所に位置し、
前記第１の場所が、前記第２の場所とは異なる、
請求項１から８のいずれか一項に記載の方法。
【請求項１０】
前記第１の時間期間が、前記ワイヤレスデバイスの不連続受信サイクルのＯＮ持続時間と重複する、請求項１から９のいずれか一項に記載の方法。
【請求項１１】
ワイヤレス通信ネットワークのネットワークノードにおける方法であって、
前記ワイヤレス通信ネットワークによってサポートされる物理リソースチャネルの総数よりも少ない数の物理リソースチャネルを使用し、かつ前記ワイヤレス通信ネットワークの総帯域幅の送信−受信周波数分離よりも小さい送信−受信周波数分離を使用して、ワイヤレス信号を送信および受信することを含む、狭帯域幅動作に、ワイヤレスデバイスが対応可能であると判断すること（７１２）と、
測定パターンに関連付けられたパラメータを決定すること（７１４）であって、前記測定パターンが、
第１の時間期間および第２の時間期間と、
物理リソースチャネルの第１のセットにおいて送信される１つまたは複数の無線信号上で前記第１の時間期間中に実行されることになる、１つまたは複数の第１のタイプの無線測定と、
物理リソースチャネルの第２のセットにおいて送信される１つまたは複数の無線信号上で前記第２の時間期間中に実行されることになる、１つまたは複数の第２のタイプの無線測定であって、前記物理リソースチャネルの第２のセットの少なくとも１つの物理リソースチャネルが、前記物理リソースチャネルの第１のセットの物理リソースチャネルとは異なる、１つまたは複数の第２のタイプの無線測定と
を含む、決定すること（７１４）と、
前記パラメータを、前記ワイヤレスデバイスに通信すること（７１６）と
を含む、方法。
【請求項１２】
前記物理リソースチャネルの第１のセットが、第１の数の物理リソースチャネルを含み、物理リソースチャネルの前記第１の数が、前記ワイヤレス通信ネットワークによってサポートされる物理リソースチャネルの前記総数よりも少ない、請求項１１に記載の方法。
【請求項１３】
前記物理リソースチャネルの第２のセットが、第２の数の物理リソースチャネルを含み、
物理リソースチャネルの前記第２の数が、物理リソースチャネルの前記第１の数よりも大きい、
請求項１２に記載の方法。
【請求項１４】
前記物理リソースチャネルの第１のセットの送信−受信中心周波数分離が、前記ワイヤレス通信ネットワークの前記総帯域幅の送信−受信中心周波数分離よりも小さい、請求項１１から１３のいずれか一項に記載の方法。
【請求項１５】
前記物理リソースチャネルの第１のセットが、前記ワイヤレス通信ネットワークの帯域幅内の特定の周波数位置に位置し、前記物理リソースチャネルの第２のセットが、前記ワイヤレス通信ネットワークの前記帯域幅内の任意の周波数位置に位置する、請求項１１から１４のいずれか一項に記載の方法。
【請求項１６】
前記物理リソースチャネルの第１のセットが、前記ワイヤレス通信ネットワークの前記帯域幅の中心に位置する、請求項１５に記載の方法。
【請求項１７】
前記物理リソースチャネルの第１のセットが、６つの物理リソースブロックを含む、請求項１１から１６のいずれか一項に記載の方法。
【請求項１８】
前記物理リソースチャネルの第１のセットが、アップリンク物理リソースチャネルおよびダウンリンク物理リソースチャネルを含み、
前記アップリンク物理リソースチャネルが、前記ワイヤレス通信ネットワークの前記帯域幅内の第１の場所に位置し、
前記ダウンリンク物理リソースチャネルが、前記ワイヤレス通信ネットワークの前記帯域幅内の第２の場所に位置し、
前記第１の場所が、前記第２の場所とは異なる、
請求項１１から１７のいずれか一項に記載の方法。
【請求項１９】
前記第１の時間期間が、前記ワイヤレスデバイスの不連続受信サイクルのＯＮ持続時間と重複する、請求項１１から１８のいずれか一項に記載の方法。
【請求項２０】
前記第１の時間期間中に１つまたは複数の前記第１のタイプの無線測定を実行すること（７２０）をさらに含む、請求項１１から１９のいずれか一項に記載の方法。
【請求項２１】
プロセッサ（８２０）を備えるワイヤレスデバイス（１１０）であって、前記プロセッサ（８２０）が、
ワイヤレス通信ネットワークによってサポートされる物理リソースチャネルの総数よりも少ない数の物理リソースチャネルを使用し、かつ前記ワイヤレス通信ネットワークの総帯域幅の送信−受信周波数分離よりも小さい送信−受信周波数分離を使用して、ワイヤレス信号（１３０）を送信および受信することを含む、狭帯域幅動作に、前記ワイヤレスデバイスが対応可能であると判断することと、
測定パターンに関連付けられたパラメータを入手することであって、前記測定パターンが、
第１の時間期間および第２の時間期間と、
物理リソースチャネルの第１のセット（５１０）において送信される１つまたは複数の無線信号上で前記第１の時間期間中に実行されることになる、１つまたは複数の第１のタイプの無線測定と、
物理リソースチャネルの第２のセット（５１２）において送信される１つまたは複数の無線信号上で前記第２の時間期間中に実行されることになる、１つまたは複数の第２のタイプの無線測定であって、前記物理リソースチャネルの第２のセットの少なくとも１つの物理リソースチャネルが、前記物理リソースチャネルの第１のセットの物理リソースチャネルとは異なる、１つまたは複数の第２のタイプの無線測定と
を含む、入手することと、
前記入手した第１のパラメータ、および前記ワイヤレスデバイスが狭帯域幅動作に対応可能であるという前記判断を用いて、測定パターンを決定することと、
前記第１の時間期間中に１つまたは複数の前記第１のタイプの無線測定を実行することと
を行うように動作可能である、ワイヤレスデバイス。
【請求項２２】
前記物理リソースチャネルの第１のセットが、第１の数の物理リソースチャネルを含み、物理リソースチャネルの前記第１の数が、前記ワイヤレス通信ネットワークによってサポートされる物理リソースチャネルの前記総数よりも少ない、請求項２１に記載のワイヤレスデバイス。
【請求項２３】
前記物理リソースチャネルの第２のセットが、第２の数の物理リソースチャネルを含み、
物理リソースチャネルの前記第２の数が、物理リソースチャネルの前記第１の数よりも大きい、
請求項２２に記載のワイヤレスデバイス。
【請求項２４】
前記物理リソースチャネルの第１のセットの送信−受信中心周波数分離が、前記ワイヤレス通信ネットワークの前記総帯域幅の送信−受信中心周波数分離よりも小さい、請求項２１から２３のいずれか一項に記載のワイヤレスデバイス。
【請求項２５】
前記物理リソースチャネルの第１のセットが、前記ワイヤレス通信ネットワークの帯域幅内の特定の周波数位置に位置し、前記物理リソースチャネルの第２のセットが、前記ワイヤレス通信ネットワークの前記帯域幅内の任意の周波数位置に位置する、請求項２１から２４のいずれか一項に記載のワイヤレスデバイス。
【請求項２６】
前記物理リソースチャネルの第１のセットが、前記ワイヤレス通信ネットワークの前記帯域幅の中心に位置する、請求項２５に記載のワイヤレスデバイス。
【請求項２７】
前記物理リソースチャネルの第１のセットが、６つの物理リソースブロックを含む、請求項２１から２６のいずれか一項に記載のワイヤレスデバイス。
【請求項２８】
前記ワイヤレスデバイスが狭帯域幅動作に対応可能であると判断するように動作可能な前記プロセッサが、ネットワークノードから設定メッセージを受信するように動作可能である、請求項２１から２７のいずれか一項に記載のワイヤレスデバイス。
【請求項２９】
前記物理リソースチャネルの第１のセットが、アップリンク物理リソースチャネルおよびダウンリンク物理リソースチャネルを含み、
前記アップリンク物理リソースチャネルが、前記ワイヤレス通信ネットワークの前記帯域幅内の第１の場所に位置し、
前記ダウンリンク物理リソースチャネルが、前記ワイヤレス通信ネットワークの前記帯域幅内の第２の場所に位置し、
前記第１の場所が、前記第２の場所とは異なる、
請求項２１から２８のいずれか一項に記載のワイヤレスデバイス。
【請求項３０】
前記第１の時間期間が、前記ワイヤレスデバイスの不連続受信サイクルのＯＮ持続時間と重複する、請求項２１から２９のいずれか一項に記載のワイヤレスデバイス。
【請求項３１】
プロセッサ（９２０）を備えるネットワークノード（１２０）であって、前記プロセッサ（９２０）が、
ワイヤレス通信ネットワークによってサポートされる物理リソースチャネルの総数よりも少ない数の物理リソースチャネルを使用し、かつ前記ワイヤレス通信ネットワークの総帯域幅の送信−受信周波数分離よりも小さい送信−受信周波数分離を使用して、ワイヤレス信号（１３０）を送信および受信することを含む、狭帯域幅動作に、ワイヤレスデバイス（１１０）が対応可能であると判断することと、
測定パターンに関連付けられたパラメータを決定することであって、前記測定パターンが、
第１の時間期間および第２の時間期間と、
物理リソースチャネルの第１のセット（５１０）において送信される１つまたは複数の無線信号上で前記第１の時間期間中に実行されることになる、１つまたは複数の第１のタイプの無線測定と、
物理リソースチャネルの第２のセット（５１２）において送信される１つまたは複数の無線信号上で前記第２の時間期間中に実行されることになる、１つまたは複数の第２のタイプの無線測定であって、前記物理リソースチャネルの第２のセットの少なくとも１つの物理リソースチャネルが、前記物理リソースチャネルの第１のセットの物理リソースチャネルとは異なる、１つまたは複数の第２のタイプの無線測定と
を含む、決定することと、
前記パラメータを、前記ワイヤレスデバイスに通信することと
を行うように動作可能である、ネットワークノード。
【請求項３２】
前記物理リソースチャネルの第１のセットが、第１の数の物理リソースチャネルを含み、物理リソースチャネルの前記第１の数が、前記ワイヤレス通信ネットワークによってサポートされる物理リソースチャネルの前記総数よりも少ない、請求項３１に記載のネットワークノード。
【請求項３３】
前記物理リソースチャネルの第２のセットが、第２の数の物理リソースチャネルを含み、
物理リソースチャネルの前記第２の数が、物理リソースチャネルの前記第１の数よりも大きい、
請求項３２に記載のネットワークノード。
【請求項３４】
前記物理リソースチャネルの第１のセットの送信−受信中心周波数分離が、前記ワイヤレス通信ネットワークの前記総帯域幅の送信−受信中心周波数分離よりも小さい、請求項３１から３３のいずれか一項に記載のネットワークノード。
【請求項３５】
前記物理リソースチャネルの第１のセットが、前記ワイヤレス通信ネットワークの帯域幅内の特定の周波数位置に位置し、前記物理リソースチャネルの第２のセットが、前記ワイヤレス通信ネットワークの前記帯域幅内の任意の周波数位置に位置する、請求項３１から３４のいずれか一項に記載のネットワークノード。
【請求項３６】
前記物理リソースチャネルの第１のセットが、前記ワイヤレス通信ネットワークの前記帯域幅の中心に位置する、請求項３５に記載のネットワークノード。
【請求項３７】
前記物理リソースチャネルの第１のセットが、６つの物理リソースブロックを含む、請求項３１から３６のいずれか一項に記載のネットワークノード。
【請求項３８】
前記物理リソースチャネルの第１のセットが、アップリンク物理リソースチャネルおよびダウンリンク物理リソースチャネルを含み、
前記アップリンク物理リソースチャネルが、前記ワイヤレス通信ネットワークの前記帯域幅内の第１の場所に位置し、
前記ダウンリンク物理リソースチャネルが、前記ワイヤレス通信ネットワークの前記帯域幅内の第２の場所に位置し、
前記第１の場所が、前記第２の場所とは異なる、
請求項３１から３７のいずれか一項に記載のネットワークノード。
【請求項３９】
前記第１の時間期間が、前記ワイヤレスデバイスの不連続受信サイクルのＯＮ持続時間と重複する、請求項３１から３８のいずれか一項に記載のネットワークノード。
【請求項４０】
前記プロセッサが、前記第１の時間期間中に１つまたは複数の前記第１のタイプの無線測定を実行するようにさらに動作可能である、請求項３１から３９のいずれか一項に記載のネットワークノード。
【請求項４１】
狭帯域判断モジュール（８４０）、入手モジュール（８６０）、パターン決定モジュール（８５０）、および測定モジュール（８７０）を備えるワイヤレスデバイス（１１０）であって、
前記狭帯域判断モジュールが、ワイヤレス通信ネットワークによってサポートされる物理リソースチャネルの総数よりも少ない数の物理リソースチャネルを使用し、かつ前記ワイヤレス通信ネットワークの総帯域幅の送信−受信周波数分離よりも小さい送信−受信周波数分離を使用して、ワイヤレス信号（１３０）を送信および受信することを含む、狭帯域幅動作に、前記ワイヤレスデバイスが対応可能であると判断するように動作可能であり、
前記入手モジュールが、測定パターンに関連付けられたパラメータを入手することであって、前記測定パターンが、
第１の時間期間および第２の時間期間と、
物理リソースチャネルの第１のセット（５１０）において送信される１つまたは複数の無線信号上で前記第１の時間期間中に実行されることになる、１つまたは複数の第１のタイプの無線測定と、
物理リソースチャネルの第２のセット（５１２）において送信される１つまたは複数の無線信号上で前記第２の時間期間中に実行されることになる、１つまたは複数の第２のタイプの無線測定であって、前記物理リソースチャネルの第２のセットの少なくとも１つの物理リソースチャネルが、前記物理リソースチャネルの第１のセットの物理リソースチャネルとは異なる、１つまたは複数の第２のタイプの無線測定と
を含む、入手することを行うように動作可能であり、
前記パターン決定モジュールが、前記入手したパラメータ、および前記ワイヤレスデバイスが狭帯域幅動作に対応可能であるという前記判断を用いて、測定パターンを決定するように動作可能であり、
前記測定モジュールが、前記第１の時間期間中に１つまたは複数の前記第１のタイプの無線測定を実行するように動作可能である、
ワイヤレスデバイス。
【請求項４２】
狭帯域判断モジュール（９４０）、パターン決定モジュール（９５０）、および通信モジュール（９６０）を備えるネットワークノード（１２０）であって、
前記狭帯域判断モジュールが、ワイヤレス通信ネットワークによってサポートされる物理リソースチャネルの総数よりも少ない数の物理リソースチャネルを使用し、かつ前記ワイヤレス通信ネットワークの総帯域幅の送信−受信周波数分離よりも小さい送信−受信周波数分離を使用して、ワイヤレス信号（１３０）を送信および受信することを含む、狭帯域幅動作に、ワイヤレスデバイス（１１０）が対応可能であると判断するように動作可能であり、
前記パターン決定モジュールが、測定パターンに関連付けられたパラメータを決定することであって、前記測定パターンが、
第１の時間期間および第２の時間期間と、
物理リソースチャネルの第１のセット（５１０）において送信される１つまたは複数の無線信号上で前記第１の時間期間中に実行されることになる、１つまたは複数の第１のタイプの無線測定と、
物理リソースチャネルの第２のセット（５１２）において送信される１つまたは複数の無線信号上で前記第２の時間期間中に実行されることになる、１つまたは複数の第２のタイプの無線測定であって、前記物理リソースチャネルの第２のセットの少なくとも１つの物理リソースチャネルが、前記物理リソースチャネルの第１のセットの物理リソースチャネルとは異なる、１つまたは複数の第２のタイプの無線測定と
を含む、決定することを行うように動作可能であり、
前記通信モジュールが、前記パラメータを、前記ワイヤレスデバイスに通信するように動作可能である、
ネットワークノード。
【発明の詳細な説明】
【技術分野】
【０００１】
個々の実施形態は、一般に、ワイヤレス通信に関し、より詳細には、適応型送信−受信（Ｔｘ−Ｒｘ）周波数分離を用いた、狭帯域マシン型通信（ＭＴＣ）ユーザ機器（ＵＥ）向けの測定手順に関する。
【背景技術】
【０００２】
マシンツーマシン（Ｍ２Ｍ）通信（マシン型通信（ＭＴＣ）とも呼ばれる）とは、機械と機械、あるいは機械と人間の間で通信を確立するものである。通信には、シグナリング、測定データ、設定情報などのデータをやり取りすることが含まれ得る。デバイスは、財布程度の大きさのものから、基地局のような大型のものまで、多様なサイズを取り得る。多くの場合、Ｍ２Ｍデバイスは、環境状態の感知（たとえば、温度の読み取りなど）、計測または測定（たとえば、電気使用量に関するもの）、誤り発見またはエラー検出などの用途に用いられる。これらの用途において、Ｍ２Ｍデバイスは、比較的長い期間にわたって活動停止状態になり得る。たとえば、サービスのタイプによっては、Ｍ２Ｍデバイスが活動状態となり得るのは、２秒毎に約２００ｍｓ、６０分毎に約５００ｍｓなどである。また、Ｍ２Ｍデバイスは、他の周波数または他の無線アクセス技術（ＲＡＴ）での測定を実行することができる。
【０００３】
Ｍ２Ｍデバイスのうち、特定のカテゴリのものは、低コストデバイスと呼ばれ得る。コスト削減は、ピークレートおよび受信機性能に関する要件を緩和することによって実現され得る。ロングタームエボリューション（ＬＴＥ）Ｒｅｌｅａｓｅ１２では、ユーザ機器（ＵＥ）カテゴリ０と呼ばれる、低コストＵＥカテゴリを紹介している。このカテゴリの仕様では、ピークレートは１Ｍｂｐｓと比較的低く、性能要件も緩和され、アンテナ受信機が１つしかないＵＥでも満たすことが可能である。全二重（ＦＤ）能力の代わりに半二重（ＨＤ）能力のみをサポートすることで、コストはさらに削減される。ＵＥは送信と受信を同時に行わないため、ＵＥにデュプレクスフィルタは不要である。さらなるコスト削減技術として、ＵＥ帯域幅を１．４ＭＨｚに縮小することが挙げられる。
【０００４】
別カテゴリのＭ２Ｍデバイスを用いれば、アップリンク（ＵＬ）および／またはダウンリンク（ＤＬ）のカバレッジを強化することが容易になる。これらのデバイスは、建物地下階のような遠隔地に位置するセンサや計測デバイスなど、Ｍ２Ｍデバイスと基地局の間の経路損失が極めて大きくなる可能性のある場所に設置される。そのような場所では、基地局から信号を受信することが困難な場合もある。たとえば、経路損失は、通常の動作で考えられるよりも１５−２０ｄＢ悪化する可能性がある。こうした課題に対処するために、アップリンクおよび／またはダウンリンクにおけるカバレッジの実質的強化がなされる。カバレッジの強化は、ＵＥおよび／またはネットワークノードにおける種々の技術（たとえば、ＤＬ送信電力の増強、ＵＬ送信電力の増強、ＵＥ受信機の強化、信号反復など）によって達成される。
【０００５】
縮小された帯域幅（たとえば、１．４ＭＨｚ）でのＭＴＣ  ＵＥの動作は、狭帯域ＭＴＣ動作、狭帯域ＭＴＣ、または単純に狭帯域動作と呼ぶことができる。狭帯域ＭＴＣは、わずか６つの物理リソースブロック（ＰＲＢ）だけを用いてスケジューリングすることができる。アップリンク用にＰＲＢを１つだけ割り振ることや、ダウンリンク用にＰＲＢを１つだけ割り振ることが可能である。加えて、ＭＴＣ  ＵＥの周波数をリタイミングすることにより、ユーザの周波数多重、および周波数ホッピングが容易となる。
【０００６】
既存のＬＴＥ  ＵＥカテゴリでは、フィルタリング要件は、ＴＳ  ３６．１０１  Ｔａｂｌｅ５．７．４で規定される所与の周波数帯域への送信−受信（ＴＸ−ＲＸ）周波数分離、および所与のＬＴＥ  ＵＥカテゴリに関する規定された無線周波数（ＲＦ）性能要件に基づいて規定される。たとえば、送信−受信搬送波中心周波数分離は、Ｅ−ＵＴＲＡ帯域１（すなわち、２ＧＨｚ）に対しては１９０ＭＨｚ、帯域８（すなわち、９００ＭＨｚ）に対しては４５ＭＨｚとすることができる。
【０００７】
図１は、周波数分割複信（ＦＤＤ）動作のための例示的な送信−受信周波数分離を示す図である。図１には、バンドギャップによって分離された、アップリンク帯域およびダウンリンク帯域が示されている。アップリンク帯域におけるＰＲＢのサブセットは狭帯域アップリンク動作用に割り振られ、ダウンリンク帯域におけるＰＲＢのサブセットは狭帯域ダウンリンク動作用に割り振られる。アップリンク帯域におけるＰＲＢのサブセットの中心と、ダウンリンク帯域におけるＰＲＢのサブセットの中心との間の分離を、デュプレクス間隔と呼ぶ。
【０００８】
用いる送信−受信周波数分離の幅が狭いと、ＭＴＣ  ＵＥのフィルタリング能力を超過した、ＭＴＣ  ＵＥの送信機と受信機の間の自己干渉が起こり、これがＭＴＣ  ＵＥが期待される性能レベルを満たすのを妨げるおそれがある。それにより、ＭＴＣ  ＵＥのエラー率性能、および／またはＭＴＣ  ＵＥのカバレッジ能力が低下し得る。そのような状況は、全二重ＦＤＤ送信に向けたアップリンクおよびダウンリンクのＰＲＢ割り振りが、独立して割り当てられた場合に発生する可能性がある。たとえば、図１は、割り当てられたアップリンクＰＲＢがアップリンク帯域の上端に近く、かつ割り当てられたダウンリンクリソースがダウンリンク帯域の下端に近い場合を示している。このシナリオでは、許容される最小送信−受信搬送波周波数分離よりもバンドギャップが著しく小さい場合、ＵＥのデュプレクサフィルタリングは期待される性能要件を十分に満たさない可能性がある。
【０００９】
リソースブロックは、帯域のダウンリンク部分またはアップリンク部分におけるスペクトルの任意の部分に割り振ることができる。換言すれば、狭帯域幅動作（たとえば、ＲＢが６つ以下）は、図２に示すものなど、セルシステム帯域幅内周波数のいずれかのＲＦおよびベースバンドの両方でサポートされ得る。
【００１０】
図２は、狭帯域動作のための例示的な送信−受信周波数分離を示す図である。図２には、バンドギャップによって分離された、アップリンク帯域およびダウンリンク帯域が示されている。また、ＵＬ搬送波中心周波数およびダウンリンク搬送波中心周波数が識別されている。アップリンク帯域における６つのＰＲＢから成るサブセットは狭帯域アップリンク動作用に割り振られ、ダウンリンク帯域における６つのＰＲＢから成るサブセットは狭帯域ダウンリンク動作用に割り振られる。図示の通り、アップリンク帯域およびダウンリンク帯域の送信−受信周波数分離は、狭帯域アップリンクおよびダウンリンク割り振りの送信−受信周波数分離よりも大きいものとなっている。狭帯域アップリンクおよびダウンリンク割り振りの送信−受信周波数分離は、バンドギャップを大きく凌ぐものではない。
【００１１】
低コスト狭帯域ＭＴＣ  ＵＥに対する上記要件に基づき、最低送信−受信周波数分離は、各帯域について指定された値を下回るものとすることができる。さらに、ＭＴＣ  ＵＥは、帯域端近くの狭帯域幅において、全出力で送信を行うことができる。したがって、デュプレクサギャップが既存の性能要件をサポートするのに十分であることを保証するということには、狭帯域ＭＴＣ動作用の周波数帯域における送信搬送波と受信搬送波の間の最小分離を規定することが含まれ得る。送信−受信分離によって性能要件を満たすことが不可能な場合、送信電力を抑えることで補償するように、代替案がとられる。
【００１２】
典型的には、ＵＥは、いくつかの既知の参照シンボルまたはパイロットシーケンスを介した、サービング（および隣接セル）に関する無線測定を実行する。ＵＥは、周波数内搬送波、周波数間搬送波、および（ＵＥ能力に応じて）ＲＡＴ間搬送波に関する測定を実行することができる。周波数間およびＲＡＴ間の測定を可能とするために、ネットワークが測定ギャップを設定し得る。
【００１３】
これらの測定は、さまざまな目的に役立つ。測定の目的としては、モビリティ、測位、自己組織化ネットワーク（ＳＯＮ）、ドライブテストの最小化（ＭＤＴ）、運用および管理（Ｏ＆Ｍ）、ネットワーク計画および最適化などが例として挙げられる。ＬＴＥにおけるＵＥ測定の例としては、セル識別（すなわち、物理セルＩＤ（ＰＣＩ）取得）、システム情報（ＳＩ）取得、参照シンボル受信電力（ＲＳＲＰ）、参照シンボル受信品質（ＲＳＲＱ）、ＣＳＩ−ＲＳＲＰ、ＣＳＩ−ＲＳＲＱ、発見信号測定、自律的ギャップを用いたセルグローバル識別情報（ＣＧＩ）取得、参照信号時間差（ＲＳＴＤ）、ＵＥ  Ｒｘ−Ｔｘ時間差測定、同期外れ（ｏｕｔ  ｏｆ  ｓｙｎｃ）検出および同期内（ｉｎ−ｓｙｎｃ）検出から成る無線リンク監視（ＲＬＭ）などが挙げられる。
【００１４】
典型的には、ＵＥは、時間および／または周波数領域における２つ以上のサンプルまたはスナップショットを平均化することにより、無線測定値を入手する。たとえば、ＵＥは、４０または５０ｍｓ毎に取られた４つまたは５つのスナップショットまたはサンプルを平均化することにより、２００ｍｓにわたるＲＳＲＰ／ＲＳＲＱ測定を実行することができる。このとき、各スナップショットは、１または２ｍｓ長となり得る。
【００１５】
ＵＥは、ネットワークがスケジューリングのために使用するチャネル状態情報（ＣＳＩ）測定や適応変調などを実行する。ＣＳＩ測定値またはＣＳＩ報告の例としては、チャネル品質指標（ＣＱＩ）、プリコード化マトリクス指標（ＰＭＩ）、ランク指標（ＲＩ）などが挙げられる。ＵＥは、セル固有参照信号（ＣＲＳ）、ＣＳＩ参照信号（ＣＳＩ−ＲＳ）、または復調用参照信号（ＤＭＲＳ）のような参照信号に関するＣＳＩ測定を実行することができる。
【００１６】
モビリティ（たとえば、セル選択、ハンドオーバなど）、測位、適応変調、スケジューリング、負荷分散、アドミッション制御、干渉管理、干渉軽減などの機能をサポートするために、ネットワークノードは、自身が送受信する信号に関する無線測定も実行する。そのような測定の例としては、信号対雑音比（ＳＮＲ）、信号対干渉雑音比（ＳＩＮＲ）、受信干渉電力（ＲＩＰ）、ブロックエラー率（ＢＬＥＲ）、ＵＥとネットワークノードの間の伝搬遅延、送信搬送波電力、特定信号の送信電力（たとえば、参照信号のＴｘ電力）、およびタイムアドバンス（ＴＡ）やｅＮｏｄｅＢ  Ｒｘ−Ｔｘ時間差のような位置測定などが挙げられる。
【００１７】
ＬＴＥにおいて、ＵＥは、既定の時間−周波数リソースで送信される無線信号（たとえば、発見信号、参照信号など）に関する無線測定を実行する。たとえば、ＵＥは、セル内のダウンリンク搬送波周波数の６つの中心リソースブロック（すなわち、セル送信帯域幅の６つの中心ＲＢ）で送信される、ＰＳＳ／ＳＳＳを用いたセル識別を実行する。同様に、ＵＥは、識別したセルの帯域幅の６つの中心ＲＢに関するＲＳＲＰおよびＲＳＲＱを測定する。
【００１８】
ただし、ＭＴＣ  ＵＥは、狭帯域幅で動作するように設定されてもよい。狭帯域幅動作は、ＵＥがシステム帯域幅におけるリソースブロックの総数よりも少ないＲＢを使用して動作可能であることを特徴とする。このように、使用されるＲＢの数が少ないことを、システム帯域幅を基準として、より狭い帯域幅という。狭帯域幅動作において、アップリンクおよび／またはダウンリンク動作用のＵＥ内ＲＦフィルタは、より狭いＲＦ帯域幅上でチューニングされる。従来のＬＴＥ動作では、特定のデータまたは制御チャネルがＲＢのサブセットを介して送信され得るが、ＲＦ帯域幅は、システム帯域幅と同じ帯域幅になる。狭帯域幅（またはより狭いＲＦ帯域幅）の一例が、５０個のＲＢを含有する１０ＭＨｚのシステム帯域幅内で６つのＲＢを含有する１．４ＭＨｚというＲＦ帯域幅である。狭帯域幅動作は、システム帯域幅内の送信−受信搬送波中心周波数分離（δｆ）がより狭いことによっても特徴付けられる。たとえば、狭帯域には、システム帯域幅に対する３５ＭＨｚなど、既定またはデフォルトの値（ΔＦ）と比較される、２７ＭＨｚの送信−受信周波数分離が含まれ得る。
【００１９】
狭帯域幅動作に関するこれら２つの属性は、１つまたは複数の無線測定を実行するために要求される必須の無線信号をＵＥが受信するのを妨げる場合がある。さらに、送信−受信搬送波中心周波数分離（δｆ）が狭いため、ＵＥアップリンク送信が、ＵＥ自身の受信機との自己干渉を引き起こすおそれもある。これらの要因により、ＭＴＣ  ＵＥのモビリティ性能が低下する可能性があり、さらにはコールドロップ、ハンドオーバ失敗、測位失敗などを招く場合もある。
【発明の概要】
【００２０】
いくつかの実施形態によれば、ワイヤレスデバイスにおける方法が、ワイヤレスデバイスが狭帯域幅動作に対応可能であると判断することを含む。狭帯域幅動作は、ワイヤレス通信ネットワークによってサポートされる物理リソースチャネルの総数よりも少ない数の物理リソースチャネルを使用し、かつワイヤレス通信ネットワークの総帯域幅の送信−受信周波数分離よりも小さい送信−受信周波数分離を使用して、ワイヤレス信号を送信および受信することを含む。方法は、測定パターンに関連付けられたパラメータを入手することをさらに含む。測定パターンは、第１の時間期間および第２の時間期間と、物理リソースチャネルの第１のセットにおいて送信される無線信号上で第１の時間期間中に実行されることになる、１つまたは複数の第１のタイプの無線測定と、物理リソースチャネルの第２のセットにおいて送信される無線信号上で第２の時間期間中に実行されることになる、１つまたは複数の第２のタイプの無線測定とを含む。方法は、入手した第１のパラメータを使用して測定パターンを決定することと、第１の時間期間中に第１のタイプの無線測定を実行することとをさらに含む。
【００２１】
特定の実施形態では、物理リソースチャネルの第１のセットが、ワイヤレス通信ネットワークによってサポートされる物理リソースチャネルの総数よりも少ない、第１の数の物理リソースチャネルを含む。物理リソースチャネルの第２のセットは、第１の数の物理リソースチャネルよりも多い第２の数の物理リソースチャネルを含み得る。
【００２２】
特定の実施形態では、物理リソースチャネルの第１のセットの送信−受信中心周波数分離が、ワイヤレス通信ネットワークの総帯域幅の送信−受信中心周波数分離よりも小さい。物理リソースチャネルの第１のセットは、ワイヤレス通信システムの帯域幅内の特定の周波数位置に位置し得、物理リソースチャネルの第２のセットは、ワイヤレス通信システムの帯域幅内の任意の周波数位置に位置し得る。物理リソースチャネルの第１のセットは、ワイヤレス通信システムの帯域幅の中心に位置し得るとともに、６つの物理リソースブロックを含み得る。
【００２３】
特定の実施形態では、物理リソースチャネルの第１のセットが、アップリンク物理リソースチャネルおよびダウンリンク物理リソースチャネルを含む。アップリンク物理リソースチャネルは、ワイヤレス通信システムの帯域幅内の第１の場所に位置し、ダウンリンク物理リソースチャネルは、第１の場所とは異なる、ワイヤレス通信システムの帯域幅内の第２の場所に位置する。
【００２４】
特定の実施形態では、第１の時間期間が、ワイヤレスデバイスの不連続受信サイクルのＯＮ持続時間と重複する。
【００２５】
いくつかの実施形態によれば、ワイヤレス通信ネットワークのネットワークノードにおける方法が、ワイヤレスデバイスが狭帯域幅動作に対応可能であると判断することを含む。方法は、測定パターンに関連付けられたパラメータを決定することをさらに含む。測定パターンは、第１の時間期間および第２の時間期間と、物理リソースチャネルの第１のセットにおいて送信される１つまたは複数の無線信号上で第１の時間期間中に実行されることになる、１つまたは複数の第１のタイプの無線測定と、物理リソースチャネルの第２のセットにおいて送信される１つまたは複数の無線信号上で第２の時間期間中に実行されることになる、１つまたは複数の第２のタイプの無線測定とを含む。物理リソースチャネルの第２のセットのうちの少なくとも１つの物理リソースチャネルは、物理リソースチャネルの第１のセットの物理リソースチャネルと異なる。方法は、パラメータをワイヤレスデバイスに通信することをさらに含む。
【００２６】
特定の実施形態では、物理リソースチャネルの第１のセットが、第１の数の物理リソースチャネルを含み、物理リソースチャネルの第１の数が、ワイヤレス通信ネットワークによってサポートされる物理リソースチャネルの総数よりも少ない。物理リソースチャネルの第２のセットは、第１の数の物理リソースチャネルよりも多い第２の数の物理リソースチャネルを含み得る。
【００２７】
特定の実施形態では、物理リソースチャネルの第１のセットの送信−受信中心周波数分離が、ワイヤレス通信ネットワークの総帯域幅の送信−受信中心周波数分離よりも小さい。物理リソースチャネルの第１のセットは、ワイヤレス通信システムの帯域幅内の特定の周波数位置に位置し得、物理リソースチャネルの第２のセットは、ワイヤレス通信システムの帯域幅内の任意の周波数位置に位置し得る。物理リソースチャネルの第１のセットは、ワイヤレス通信システムの帯域幅の中心に位置し得るとともに、６つの物理リソースブロックを含み得る。
【００２８】
特定の実施形態では、物理リソースチャネルの第１のセットが、アップリンンク物理リソースチャネルおよびダウンリンク物理リソースチャネルを含む。アップリンク物理リソースチャネルは、ワイヤレス通信システムの帯域幅内の第１の場所に位置し、ダウンリンク物理リソースチャネルは、第１の場所とは異なる、ワイヤレス通信システムの帯域幅内の第２の場所に位置する。
【００２９】
特定の実施形態では、第１の時間期間が、ワイヤレスデバイスの不連続受信サイクルのＯＮ持続時間と重複する。
【００３０】
特定の実施形態では、ネットワークノードが、第１の時間期間中に１つまたは複数の第１のタイプの無線測定を実行する。
【００３１】
いくつかの実施形態によれば、ワイヤレスデバイスが、同ワイヤレスデバイスが狭帯域幅動作に対応可能であると判断するように動作可能なプロセッサを備える。また、プロセッサは、測定パターンに関連付けられたパラメータを入手するように動作可能である。測定パターンは、第１の時間期間および第２の時間期間と、物理リソースチャネルの第１のセットにおいて送信される１つまたは複数の無線信号上で第１の時間期間中に実行されることになる、１つまたは複数の第１のタイプの無線測定と、物理リソースチャネルの第２のセットにおいて送信される１つまたは複数の無線信号上で第２の時間期間中に実行されることになる、１つまたは複数の第２のタイプの無線測定とを含む。物理リソースチャネルの第２のセットのうちの少なくとも１つの物理リソースチャネルは、物理リソースチャネルの第１のセットの物理リソースチャネルと異なる。さらに、プロセッサは、入手したパラメータを使用して測定パターンを決定することと、第１の時間期間中に１つまたは複数の第１のタイプの無線測定を実行するように動作可能である。
【００３２】
いくつかの実施形態によれば、ワイヤレスデバイスが、狭帯域判断モジュール、入手モジュール、パターン決定モジュール、および測定モジュールを備える。狭帯域判断モジュールは、ワイヤレスデバイスが狭帯域幅動作に対応可能であると判断するように動作可能である。入手モジュールは、測定パターンに関連付けられたパラメータを入手するように動作可能である。測定パターンは、第１の時間期間および第２の時間期間と、物理リソースチャネルの第１のセット（５１０）において送信される１つまたは複数の無線信号上で第１の時間期間中に実行されることになる、１つまたは複数の第１のタイプの無線測定と、物理リソースチャネルの第２のセットにおいて送信される１つまたは複数の無線信号上で第２の時間期間中に実行されることになる、１つまたは複数の第２のタイプの無線測定とを含む。物理リソースチャネルの第２のセットのうちの少なくとも１つの物理リソースチャネルは、物理リソースチャネルの第１のセットの物理リソースチャネルと異なる。パターン決定モジュールは、入手したパラメータを用いて測定パターンを決定するように動作可能である。測定モジュールは、第１の時間期間中に１つまたは複数の第１のタイプの無線測定を実行するように動作可能である。
【００３３】
いくつかの実施形態によれば、ネットワークノードが、狭帯域判断モジュール、パターン決定モジュール、および通信モジュールを備える。狭帯域判断モジュールは、ワイヤレスデバイスが狭帯域幅動作に対応可能であると判断するように動作可能である。パターン決定モジュールは、測定パターンに関連付けられたパラメータを決定するように動作可能である。測定パターンは、第１の時間期間および第２の時間期間と、物理リソースチャネルの第１のセットにおいて送信される１つまたは複数の無線信号上で第１の時間期間中に実行されることになる、１つまたは複数の第１のタイプの無線測定と、物理リソースチャネルの第２のセットにおいて送信される１つまたは複数の無線信号上で第２の時間期間中に実行されることになる、１つまたは複数の第２のタイプの無線測定とを含む。物理リソースチャネルの第２のセットのうちの少なくとも１つの物理リソースチャネルは、物理リソースチャネルの第１のセットの物理リソースチャネルと異なる。通信モジュールは、パラメータをワイヤレスデバイスに通信するように動作可能である。
【００３４】
コンピュータプログラム製品も開示される。コンピュータプログラム製品は、プロセッサによる実施時に、ワイヤレスデバイスが狭帯域幅動作に対応可能であると判断する行為と、測定パターンに関連付けられたパラメータを入手する行為とを実行する、非一時的コンピュータ可読媒体に記憶された命令を含む。測定パターンは、第１の時間期間および第２の時間期間と、物理リソースチャネルの第１のセットにおいて送信される無線信号上で第１の時間期間中に実行されることになる、１つまたは複数の第１のタイプの無線測定と、物理リソースチャネルの第２のセットにおいて送信される無線信号上で第２の時間期間中に実行されることになる、１つまたは複数の第２のタイプの無線測定とを含む。また、命令は、入手したパラメータを使用して測定パターンを決定する行為と、第１の時間期間中に第１のタイプの無線測定を実行する行為とを実行する。
【００３５】
別のコンピュータプログラム製品は、プロセッサによる実施時に、ワイヤレスデバイスが狭帯域幅動作に対応可能であると判断する行為と、測定パターンに関連付けられたパラメータを決定する行為とを実行する、非一時的コンピュータ可読媒体に記憶された命令を含む。測定パターンは、第１の時間期間および第２の時間期間と、物理リソースチャネルの第１のセットにおいて送信される１つまたは複数の無線信号上で第１の時間期間中に実行されることになる、１つまたは複数の第１のタイプの無線測定と、物理リソースチャネルの第２のセットにおいて送信される１つまたは複数の無線信号上で第２の時間期間中に実行されることになる、１つまたは複数の第２のタイプの無線測定とを含む。物理リソースチャネルの第２のセットのうちの少なくとも１つの物理リソースチャネルは、物理リソースチャネルの第１のセットの物理リソースチャネルと異なる。また、命令は、パラメータをワイヤレスデバイスに通信する行為を実行する。
【００３６】
特定の実施形態により、以下の技術的利点のいくつかが発揮され得る。特定の実施形態では、ネットワークノードは、アップリンクとダウンリンクの両方で無線測定を実行し、ワイヤレスデバイスへのデータ送信をスケジューリングするための、十分な無線リソースを割り当てることが可能である。ワイヤレスデバイスは、各測定パターン期間の特定の時間期間中の測定について保証されたリソースに基づく十分な測定機会を受け取る。このようにすることで、モビリティおよび測位性能は、ワイヤレスデバイスがシステム帯域幅よりも狭い帯域幅を用いて動作し、かつより狭い帯域幅が必ずしもセル帯域幅の中心にない場合であっても、低下しないものとなる。
【００３７】
これらの利点は、狭帯域幅ＭＴＣワイヤレスデバイス向けの特定の測定パターンを通じて達成される。特定の実施形態では、測定パターンは、少なくとも２つの時間期間を含む。
【００３８】
第１の時間間隔に関するパターンは、システム帯域幅内の特定の場所に位置する物理チャネルの第１のセット（たとえば、システム帯域幅内中心の６つのリソースブロック）を含む。よって、ＭＴＣワイヤレスデバイスが送信−受信周波数分離の小さいシステム帯域幅の端部近くの狭帯域で典型的に動作しているとしても、狭帯域幅ＭＴＣワイヤレスデバイスは、性能特性が改良された状態で固定の場所に位置する狭帯域幅内での測定を実行可能な少なくとも１つの測定期間（すなわち、第１の測定期間）を持つことになる（たとえば、狭帯域がシステム帯域幅内で中心となるとき、送信−受信周波数分離は、システム送信−受信周波数分離と等しくなる）。ＲＳＲＰ、ＲＳＲＱ、およびセル識別は、システム帯域幅内の６つの中心リソースブロックで実行可能な無線測定の例である。
【００３９】
第２の時間期間に関するパターンは、システム帯域幅内の任意の場所に位置する物理チャネルの第２のセットを含み得る。ＭＴＣワイヤレスデバイスは、第２の時間期間を使用して、他の参照信号を測定することや、データの送受信を行うことが可能である。到着観測時間差（ＯＴＤＯＡ）参照信号時間差測定（ＲＳＴＤ）は、システム帯域幅の下方部または上方部に測位参照信号（ＰＲＳ）を含有する６つ以上のリソースブロック内で実行可能な無線測定の一例である。ＭＴＣワイヤレスデバイスは、第２の時間期間の間、ＯＴＤＯＡ  ＲＳＴＤを測定することができる。
【００４０】
したがって、システム帯域幅内の任意の場所での狭帯域幅動作のために設定されたＭＴＣワイヤレスデバイスは、周波数帯域におけるシステム帯域幅内の特定の場所（たとえば、システム帯域幅の中心の６つのリソースブロック）で少なくとも特定のリソースが周期的にチューニングされる測定パターンを用いて設定されてもよい。これにより、ＭＴＣワイヤレスデバイスは、一定間隔（たとえば、４０ｍｓ毎）で無線測定（たとえば、ＲＳＲＰ／ＲＳＲＱなど）を実行することが可能となり、狭帯域幅動作のもとでも堅牢なモビリティ性能を発揮することが可能となる。
【００４１】
実施形態によっては、これらの利点の一部または全部から恩恵を受けることもあれば、これらの利点のいずれからも恩恵を受けないこともある。その他の技術的利点は、以下の図面、説明、および各請求項から、当業者には容易に理解されよう。
【００４２】
各実施形態、ならびにそれらの特徴および利点への理解を完全なものとするために、以下の説明を下記の添付図面と併せて参照する。
【図面の簡単な説明】
【００４３】
【図１】周波数分割複信動作のための例示的な送信−受信周波数分離を示す図である。
【図２】狭帯域動作のための例示的な送信−受信周波数分離を示す図である。
【図３】特定の一実施形態による、ワイヤレス無線ネットワークの一例を示すブロック図である。
【図４】特定の一実施形態による、例示的な測定パターンを示すブロック図である。
【図５】特定の一実施形態による、別の例示的な測定パターンを示すブロック図である。
【図６】特定の一実施形態による、ワイヤレスデバイスにおける、特定の測定パターンを用いた無線測定を実行するための例示的な方法のフローチャートである。
【図７】特定の一実施形態による、ネットワークノードにおける、測定パターンを決定するための例示的な方法のフローチャートである。
【図８Ａ】ワイヤレスデバイスの例示的な一実施形態を示すブロック図である。
【図８Ｂ】ワイヤレスデバイスの例示的な構成要素を示すブロック図である。
【図９Ａ】ネットワークノードの例示的な一実施形態を示すブロック図である。
【図９Ｂ】ネットワークノードの例示的な構成要素を示すブロック図である。
【発明を実施するための形態】
【００４４】
狭帯域幅で動作するように設定されたＭＴＣ  ＵＥは、システム帯域幅内のリソースブロックの総数よりも少ないリソースブロック（たとえば、１０ＭＨｚのうちの１．４ＭＨｚ、または５０個のうちの６個のリソースブロック）を使用する。狭帯域幅リソースブロックは、システム帯域幅内の送信−受信搬送波中心周波数分離（δｆ）がより狭いことを特徴とし得る（たとえば、３５ＭＨｚの代わりに２７ＭＨｚ）。これらの制限は、ＭＴＣ  ＵＥが発見信号または参照信号の測定を試みることの妨げとなり得る。
【００４５】
たとえば、ＬＴＥネットワークは、特定の発見信号および参照信号を既定の時間−周波数リソースで送信することができる（たとえば、ＰＳＳ／ＳＳＳ、ＲＳＲＰ、およびＲＳＲＱがダウンリンク搬送波周波数の６つの中心リソースブロックで送信される）。ＭＴＣ  ＵＥに割り当てられた狭帯域リソースがネットワークが特定の信号を送信するリソースブロックを含まない場合、ＭＴＣ  ＵＥは、その信号を受信して測定することはできない。
【００４６】
別の問題として、ＭＴＣ  ＵＥに割り当てられた狭帯域の送信−受信搬送波中心周波数分離（δｆ）が小さすぎる場合、ＭＴＣ  ＵＥのアップリンクとダウンリンクの間に干渉が発生し得るということが挙げられる。これらの要因により、ＭＴＣ  ＵＥのモビリティ性能が低下する可能性があり、さらにはコールドロップ、ハンドオーバ失敗、測位失敗などを招く場合もある。
【００４７】
本開示の目標は、少なくともこれらの欠点を未然に防ぎ、システム帯域幅内のどこかに位置する発見信号および参照信号を狭帯域ＭＴＣ  ＵＥが測定するのを容易にする測定パターンを提供することである。特定の実施形態において、測定パターンには、少なくとも２つの時間期間が含まれる。
【００４８】
第１の時間間隔に関するパターンは、システム帯域幅内の特定の場所に位置する物理チャネルの第１のセット（たとえば、システム帯域幅内中心の６つのリソースブロック）を含む。よって、ＭＴＣワイヤレスデバイスが送信−受信周波数分離の小さいシステム帯域幅の端部近くの狭帯域幅で典型的に動作しているとしても、狭帯域幅ＭＴＣワイヤレスデバイスは、性能特性が改良された状態で固定の場所に位置する狭帯域幅内での測定を実行可能な少なくとも１つの測定期間（すなわち、第１の測定期間）を持つことになる（たとえば、狭帯域幅がシステム帯域幅内で中心となるとき、送信−受信周波数分離は、システム送信−受信周波数分離と等しくなる）。ＲＳＲＰ、ＲＳＲＱ、およびセル識別は、システム帯域幅内の６つの中心リソースブロックで実行可能な無線測定の例である。
【００４９】
第２の時間期間に関するパターンは、システム帯域幅内の任意の場所に位置する物理チャネルの第２のセットを含み得る。ＭＴＣワイヤレスデバイスは、第２の時間期間を使用して、他の参照信号を測定することや、データの送受信を行うことが可能である。到着観測時間差（ＯＴＤＯＡ）参照信号時間差測定（ＲＳＴＤ）は、システム帯域幅の下方部または上方部に測位参照信号（ＰＲＳ）を含有する６つ以上のリソースブロック内で実行可能な無線測定の一例である。ＭＴＣワイヤレスデバイスは、第２の時間期間の間、ＯＴＤＯＡ  ＲＳＴＤを測定することができる。
【００５０】
ＭＴＣ  ＵＥに対してそのような測定パターンを決定および通信することにより、ネットワークノードは、アップリンクとダウンリンクの両方で無線測定を実行し、ワイヤレスデバイスへのデータ送信をスケジューリングするための、十分な無線リソースを割り当てることが可能となる。ワイヤレスデバイスは、各測定パターン期間の第１の時間期間中の測定について保証されたリソースに基づく十分な測定機会を受け取る。このようにすることで、モビリティおよび測位性能は、ワイヤレスデバイスがシステム帯域幅よりも狭い帯域幅を用いて動作し、かつより狭い帯域幅が必ずしもセル帯域幅の中心にない場合であっても、低下しないものとなる。
【００５１】
以下の実施形態は、ＭＴＣ  ＵＥが狭帯域幅で動作するときに、ＭＴＣ  ＵＥ内に１つまたは複数の測定パターンを設定する方法を説明するものである。狭帯域幅は、セル帯域幅よりも狭いものとすることができ、狭帯域幅内の物理チャネルは、セル帯域幅の周波数領域内の任意の場所に割り振ることができる。測定パターンまたはパターンを規定する関連パラメータは、ネットワークノードによって設定されるか、標準仕様によって指定または既定されてよい。最小送信−受信周波数分離は、ＭＴＣ  ＵＥによってアップリンクで送信されるようにスケジューリングされた物理チャネル（たとえば、ＰＲＢ）の数によって決定され得る。
【００５２】
ネットワークノードによってサーブされるＭＴＣ  ＵＥが実行するステップには、一般的に、１つの期間またはパターンのシーケンス内に少なくとも第１の時間期間（Ｔ１）および第２の時間期間（Ｔ２）を含む少なくとも１つの測定パターンに関連する少なくとも１つのパラメータを入手することが含まれる。第１の時間期間に関するパターンは、セルのシステム帯域幅内周波数における特定の場所に位置する第１のタイプの動作を可能にするための物理チャネルの第１のセット（Ｃｎａｒｒｏｗ１）を含有する。第２の時間期間に関するパターンは、セルのシステム帯域幅内周波数における任意の場所に位置する第２のタイプの動作を可能にするための物理チャネルの第２のセット（Ｃｎａｒｒｏｗ２）を含有する。各時間期間における第１および第２のセットは、合計セル帯域幅に相当する物理チャネルのセットよりも小さいものとなり得る。物理チャネルの第１のセットに関連付けられた第１の送信−受信搬送波中心周波数分離（δｆ）は、全セル帯域幅に関連付けられた送信−受信搬送波中心周波数分離（ΔＦ）よりも狭いものとなり得る。ＭＴＣ  ＵＥは、少なくとも１つの測定パターンを、決定された少なくとも１つのパラメータに基づいて決定し、決定された少なくとも１つの測定パターンを、少なくとも第１の時間期間中に、１つまたは複数の無線測定を実行するために使用する。
【００５３】
ＭＴＣ  ＵＥにサーブするネットワークノードが実行するステップには、一般的に、１つの期間またはパターンのシーケンス内に少なくとも第１の時間期間（Ｔ１）および第２の時間期間（Ｔ２）を含む少なくとも１つの測定パターンに関連する少なくとも１つのパラメータを決定することが含まれる。第１の時間期間に関するパターンは、セルのシステム帯域幅内周波数における特定の場所に位置する第１のタイプの動作を可能にするための物理チャネルの第１のセット（Ｃｎａｒｒｏｗ１）を含有する。第２の時間期間に関するパターンは、セルのシステム帯域幅内周波数における任意の場所に位置する第２のタイプの動作を可能にするための物理チャネルの第２のセット（Ｃｎａｒｒｏｗ２）を含有する。各時間期間におけるチャネルの第１および第２のセットは、合計セル帯域幅に相当する物理チャネルのセットよりも小さいものとなり得る。物理チャネルの第１のセットに関連付けられた第１の送信−受信搬送波中心周波数分離（δｆ）は、全セル帯域幅に関連付けられた送信−受信搬送波中心周波数分離（ΔＦ）よりも狭いものとなり得る。ネットワークノードは、少なくとも１つの測定パターンを、決定された少なくとも１つのパラメータに基づいて決定し、決定された少なくとも１つのパラメータおよび／または測定パターンを、１つまたは複数の無線手順（たとえば、ＭＴＣ  ＵＥに対し、決定されたパターンおよび／または少なくとも１つのパラメータを、同ＭＴＣ  ＵＥが１つまたは複数の測定を実行できるようにシグナリングする、決定されたパターンを別のネットワークノードにシグナリングする、パターンに基づいて送受信機パラメータをチューニングするなど）を実行するために使用する。
【００５４】
本明細書で説明する実施形態は、一般的に、ＭＴＣ  ＵＥにおいて、より広いシステム帯域幅内での狭帯域幅動作に関連付けられた測定パターンを入手および適用または使用する方法（１）、より広いシステム帯域幅内での狭帯域幅動作に関連付けられた測定パターンを決定および送信または使用する方法（２）、および、ＭＴＣ  ＵＥにおいて、より広いシステム帯域幅内での狭帯域幅動作に関連付けられた測定パターンの入手および適用に関連する能力についてシグナリングする方法（３）を含む。
【００５５】
特定の実施形態が、図３〜図９Ｂを参照しながら説明される。これらの図面において、類似する番号は、各図面の類似かつ対応する部分に対して使用される。ＬＴＥ（エボルブドパケットコア（ＥＰＣ）を含む）は、例示的なセルラシステムとして、本開示を通じて用いられるが、本明細書で提示される理念は、他のワイヤレス通信システム（たとえば、ＷＣＤＭＡ／ＵＭＴＳなど）にも同様に当てはまる。
【００５６】
図３は、特定の一実施形態による、ワイヤレス無線ネットワークの一例を示すブロック図である。ワイヤレスネットワーク１００には、１つまたは複数のワイヤレスデバイス１１０（携帯電話、スマートフォン、ラップトップコンピュータ、タブレットコンピュータ、ＭＴＣデバイス、またはワイヤレス通信を提供可能なその他任意のデバイスなど）、および複数のネットワークノードが含まれる。ネットワークノードには、基地局またはｅＮｏｄｅＢなどのネットワークノード１２０が含まれる。ネットワークノード１２０は、カバレッジエリア１１５（セル１１５とも呼ぶ）にサーブする。
【００５７】
一般に、ネットワークノード１２０のカバレッジ内（たとえば、ネットワークノード１２０によってサーブされるセル１１５内）に存在するワイヤレスデバイス１１０は、ワイヤレス信号１３０を送受信することにより、ネットワークノード１２０と通信する。たとえば、ワイヤレスデバイス１１０および無線ネットワークノード１２０は、音声トラフィック、データトラフィック、および／または制御信号を含有するワイヤレス信号１３０をやり取りすることができる。音声トラフィック、データトラフィック、および／または制御信号をワイヤレスデバイス１１０に通信するネットワークノード１２０は、ワイヤレスデバイス１１０に対するサービングネットワークノード１２０と呼ぶこともできる。
【００５８】
ワイヤレス信号１３０には、ダウンリンク送信（ネットワークノード１２０からワイヤレスデバイス１１０）と、アップリンク送信（ワイヤレスデバイス１１０からネットワークノード１２０）との両方が含まれ得る。ワイヤレス信号１３０には、発見信号が含まれ得る。発見信号には、たとえば、無線リソース管理（ＲＲＭ）測定を実行するのに用いる参照信号が含まれ得る。発見信号には、たとえば、プライマリ同期信号（ＰＳＳ）やセカンダリ同期信号（ＳＳＳ）などの同期信号も含まれ得る。ワイヤレスデバイス１１０は、ワイヤレスネットワーク１００に対するシステム情報を決定するために、同期信号を検出することができる。これらの信号のいずれか、またはこれらの信号の任意のグループは、発見参照信号（ＤＲＳ）と呼ばれ得る。
【００５９】
ワイヤレスデバイス１１０は、測定パターンに基づき、特定のワイヤレス信号１３０の取得または測定を試みることができる。測定パターンは、ワイヤレス信号１３０を測定するために、時間および周波数領域内でパラメータを指定することができる。ネットワークノード１２０は、ワイヤレスデバイス１１０に関する測定パターンを決定すること、およびワイヤレスデバイス１１０に測定パターンを通信することが可能である。
【００６０】
ネットワークノード１２０は、アンテナ１４０を用いて、ワイヤレス信号１３０を送受信する。特定の実施形態では、ネットワークノード１２０は、複数のアンテナ１４０を備え得る。たとえば、ネットワークノード１２０は、２つ、４つ、８つ、またはそれ以上のアンテナ１４０を有する、他入力多出力（ＭＩＭＯ）システムを備え得る。
【００６１】
少なくとも１つのワイヤレスデバイス１１０が、セル１１５（ワイヤレスデバイスのサービングセルまたはプライマリセル（ＰＣｅｌｌ）とも呼ぶ）によってサーブされる。セル１１５は、ネットワークノード１２０によって管理、制御、またはサーブされる。サービングセルは、搬送波周波数（ｆ１）上で動作する。マルチキャリア動作（すなわち、キャリアアグリゲーション）が可能なワイヤレスデバイス１１０は、複数のサービングセル（たとえば、ＰＣｅｌｌおよび１つまたは複数のセカンダリセル（ＳＣｅｌｌ））によってサーブされ得る。いくつかの実施形態では、デュアルコネクティビティ対応ワイヤレスデバイス１１０が、ＰＣｅｌｌ、ならびに、少なくともＰＳＣｅｌｌおよび潜在的に１つまたは複数のＳＣｅｌｌを用いて設定され得る。ＰＣｅｌｌ、ＰＳＣｅｌｌ、およびＳＣｅｌｌは、同一のネットワークノード１２０によって、または異なるネットワークノード１２０によって、管理、制御、またはサーブされ得る。本明細書の実施形態は、サービングセルが１つの場合について説明しているが、各実施形態は、任意の数のサービングセルによってサーブされるワイヤレスデバイスに対しても適用可能である。サービングセルが複数の場合、ワイヤレスデバイスおよび／またはワイヤレスデバイスにサーブするネットワークノードは、本明細書で説明する手順を独立して各セルに適用することができる。
【００６２】
個々の実施形態は、全二重ＦＤＤ（ＦＤ−ＦＤＤ）動作または半二重ＦＤＤ（ＨＤ−ＦＤＤ）動作に対応したあらゆるワイヤレスデバイス１１０に当てはまる。ワイヤレスデバイス１１０は、ＦＤ−ＦＤＤで動作し得る。ＦＤ−ＦＤＤでは、アップリンク送信およびダウンリンク送信が同時に発生するが、アップリンク時間リソースとダウンリンク時間リソースは異なる搬送波周波数で動作する。ワイヤレスデバイス１１０は、ＨＤ−ＦＤＤで動作し得る。ＨＤ−ＦＤＤでは、アップリンク送信およびダウンリンク送信が同時に発生することはないものの、アップリンク時間リソースとダウンリンク時間リソースは異なる搬送波周波数で動作する。
【００６３】
送信−受信周波数分離、ＴＸ−ＲＸまたはＲＸ−ＴＸ搬送波中心周波数分離、ＴＸ−ＲＸまたはＲＸ−ＴＸ周波数分離、ＵＬ−ＤＬまたはＤＬ−ＵＬ周波数分離、デュプレクサギャップ、デュプレクスギャップ、帯域分離、デュプレクス間隔、バンドギャップなどの用語は、同一の概念および意味（すなわち、同時発生する物理チャネルの送信と受信の間の周波数における分離）を区別なく指し得る。物理チャネルの非限定的な例としては、時間−周波数リソース、無線チャネル、リソースエレメント（ＲＥ）、物理リソースブロック（ＰＲＢ）、リソースブロック（ＲＢ）、仮想リソースブロック（ＶＲＢ）などが挙げられる。
【００６４】
セル帯域幅（ＢＷ）、システム帯域幅、チャネル帯域幅、ＲＦシステム帯域幅、セル送信帯域幅、セル受信帯域幅、セル動作帯域幅、全帯域幅、全セルまたはシステム帯域幅という用語は、同一の概念および意味を区別なく指し得る。これらの用語は、全帯域幅にわたって動作しているときのセルの帯域幅（たとえば、ＲＢなどの物理チャネルの最大数）を指すものである。たとえば、５０ＭＨｚのＲＦ帯域幅は、５０個のＲＢを含有する。それと比較して、狭帯域幅は、５０個のＲＢから成る全帯域幅よりも少ないチャネル（たとえば、１０個のＲＢ）を持ち得る。
【００６５】
ワイヤレスデバイス１１０は、狭帯域幅を用いてセル内で信号の送信および／または受信を行うように設定可能である。ワイヤレスデバイス１１０は、システム帯域幅内の特定の狭帯域幅を指定するパラメータを用いて設定され得る。
【００６６】
狭帯域幅動作は、セルのシステム帯域幅によってサポートされる物理チャネルの総数（Ｃｔｏｔａｌ）よりも少ない、いくつかの割り当てられた物理チャネル（Ｃｎａｒｒｏｗ）を使用して動作可能なワイヤレスデバイスによって特徴付けられる（たとえば、Ｃｔｏｔａｌ＝５０個のＲＢであるシステム帯域幅のうちのＣｎａｒｒｏｗ＝６個のＲＢ、またはＲＦ帯域幅の観点では、Ｃｔｏｔａｌ＝１０ＭＨｚであるシステム帯域幅のうちのＣｎａｒｒｏｗ＝１．４ＭＨｚ）。セルのシステム帯域幅内の送信−受信搬送波中心周波数分離（δｆ）は、全システム帯域幅が使用される場合、送信−受信搬送波中心周波数分離（Δｆ）よりも狭いもの（たとえば、３５ＭＨｚなど、システム帯域幅に対する既定またはデフォルトの値（ΔＦ）に代わり、それよりも狭い２７ＭＨｚなど）となる。
【００６７】
個々の実施形態は、ＦＤ−ＦＤＤおよび／またはＨＤ−ＦＤＤ対応ワイヤレスデバイスによってサポートされる特定の周波数帯域、あるいはＦＤ−ＦＤＤおよび／またはＨＤ−ＦＤＤ対応ワイヤレスデバイスによってサポートされるすべての帯域に適用され得る。各実施形態を（たとえば既定の規則によって）適用可能な個々の周波数ＦＤ−ＦＤＤ帯域の例としては、特定の周波数および／または無線特性を有する帯域が挙げられる。そのような帯域の例としては、周波数が閾値を上回る（たとえば、２ＧＨｚを上回る）帯域、デュプレクスギャップが閾値を下回る（たとえば、６０ＭＨｚを下回る）帯域、通化帯域が閾値よりも大きい（たとえば、５０ＭＨｚ以上の）帯域などがある。
【００６８】
ネットワーク１００において、各ネットワークノード１２０は、ＬＴＥ、ＬＴＥ−Ａｄｖａｎｃｅｄ、ＵＭＴＳ、ＨＳＰＡ、ＧＳＭ、ｃｄｍａ２０００、ＷｉＭａｘ、ＷｉＦｉなど、任意の好適な無線アクセス技術、および／または他の好適な無線アクセス技術を使用することができる。ネットワーク１００には、１つまたは複数の無線アクセス技術から成る、任意の好適な組み合わせが含まれ得る。例示のために、種々の実施形態が、特定の無線アクセス技術に関する文脈において説明され得る。ただし、本開示の範囲は、そのような例に限定されるものではなく、他の実施形態では、異なる無線アクセス技術が使用され得る。
【００６９】
上で説明したように、ネットワークの実施形態には、１つまたは複数のワイヤレスデバイスと、そのワイヤレスデバイスと通信可能な、１つまたは複数の異なるタイプの無線ネットワークノードとが含まれ得る。また、ネットワークには、ワイヤレスデバイス同士の間、またはワイヤレスデバイスと別の通信デバイス（固定電話など）の間の通信をサポートするのに好適な、任意の追加要素が含まれてよい。ワイヤレスデバイスには、ハードウェアおよび／またはソフトウェアの任意の好適な組み合わせが含まれ得る。たとえば、特定の実施形態では、ワイヤレスデバイス１１０などのワイヤレスデバイスが、以下の図８Ａに関連して説明する構成要素を含み得る。同様に、ネットワークノードには、ハードウェアおよび／またはソフトウェアの任意の好適な組み合わせが含まれ得る。たとえば、特定の実施形態では、ネットワークノード１２０などのネットワークノードが、以下の図９Ａに関連して説明する構成要素を含み得る。
【００７０】
ワイヤレスデバイスにおける、狭帯域幅動作に関連付けられた測定パターンの入手および適用に関する特定の実施形態には、一般的に、１つまたは複数の測定パターンに関する情報を入手することと、１つまたは複数の動作（たとえば、無線測定の実行など）のために、入手した測定パターンを使用することとが含まれる。狭帯域幅動作に関連付けられた測定パターンには、以下の特性が含まれ得る。
【００７１】
測定パターンには、パターンの単一期間内に、２つの時間期間、すなわち、第１の時間期間（Ｔ１）および第２の時間期間（Ｔ２）が含まれ得る。Ｔ１に関するパターンには、セルのシステム帯域幅内周波数における特定の場所に位置する第１のタイプの動作を可能にするための物理チャネルの第１のセット（Ｃｎａｒｒｏｗ１）が含まれる。特定の場所は、ネットワークノードによって既定または設定され得る。Ｔ１に関するパターンには、１つまたは複数の時間リソース（たとえば、１つまたは複数のシンボル、タイムスロット、サブフレーム、ＴＴＩなど）が含まれる。第１のタイプの動作の例としては、物理チャネルの第１のセット上での無線測定を実行しているＵＥが挙げられる。また、ＵＥは、他の動作（たとえば、データをスケジューリングことなどを目的とした第２の動作）を実行するためにも、第１のタイプの動作に割り当てられた物理チャネルの第１のセットを使用し得る。特定の場所の例としては、セルのシステム帯域幅の中心に位置する６つのＲＢが挙げられる。特定の場所の別の例としては、セルのシステム帯域幅の下端に位置する１０個のＲＢが挙げられる。
【００７２】
Ｔ２に関するパターンには、セルのシステム帯域幅内周波数における任意の場所に位置する第２のタイプの動作を可能にするための物理チャネルの第２のセット（Ｃｎａｒｒｏｗ２）が含まれる。Ｔ２に関するパターンには、１つまたは複数の時間リソース（たとえば、１つまたは複数のシンボル、タイムスロット、サブフレーム、ＴＴＩなど）が含まれる。第２のタイプの動作の例としては、物理チャネルの第２のセットを用いたアップリンクおよび／またはダウンリンクのリソース（たとえば、ＵＬ／ＤＬサブフレーム）内でのＵＥのスケジューリングが挙げられる。また、ＵＥは、他の動作（たとえば、測定などを目的とするもの）を実行するためにも、第２のタイプの動作に割り当てられた物理チャネルの第２のセットを使用し得る。
【００７３】
特定の実施形態では、物理チャネルの第１および第２のセット（Ｃｎａｒｒｏｗ１およびＣｎａｒｒｏｗ２）は、セルのシステム帯域幅によってサポートされる物理チャネルの合計セット（Ｃｔｏｔａｌ）よりも小さいものとなり得る。物理チャネルの第１のセットに関連付けられた第１の送信−受信搬送波中心周波数分離（δｆ）は、システム送信−受信搬送波中心周波数分離（ΔＦ）よりも狭いものとすることができる。よりも狭い、とは、たとえば、｜δｆ｜＜｜ΔＦ｜など、大きさの点で小さいものとなるということを表す。パターンには、時間における繰り返しの周期性（すなわち、パターンシーケンス）が含まれ得る。パターンには、少なくともＴ１およびＴ２が含まれる。
【００７４】
図４は、特定の一実施形態による、例示的な測定パターンを示すブロック図である。横軸は時間を表している。第１の時間期間において、アップリンク搬送波およびダウンリンク搬送波には、アップリンクおよびダウンリンクの合計システム帯域幅内の狭帯域から成る、物理リソースチャネルの第１のセット４１０が含まれる。第２の時間期間において、アップリンク搬送波およびダウンリンク搬送波には、アップリンクおよびダウンリンクの合計システム帯域幅内の狭帯域から成る、物理リソースチャネルの第２のセット４１２が含まれる。パターンは経時的に繰り返す。パターンは、測定パターンと呼ばれ得る。
【００７５】
物理リソースチャネルの第１のセット４１０は、周波数領域内の特定の場所に位置する。図示の実施形態では、物理リソースチャネルの第１のセット４１０は、セル帯域幅の中心周波数周辺に位置する、いくつかのＲＢによって構成されている。物理リソースチャネルの第２のセット４１２は、セル帯域幅内の任意の場所に位置し得る。図示の実施形態では、物理リソースチャネルの第２のセット４１２は、セル帯域幅の端部付近に位置する、いくつかのＲＢによって構成されている。物理リソースチャネル４１２の第２のセットに関する送信−受信搬送波中心周波数分離は、物理リソースチャネルの第１のセット４１０の送信−受信搬送波中心周波数分離よりも小さいものとなっている。
【００７６】
ワイヤレスデバイス１１０など、狭帯域動作対応のＵＥは、物理リソースチャネルの第１のセット４１０を使用して、第１の時間期間中に第１のタイプの無線測定を実行することができる。たとえば、ＵＥは、第１の時間期間中に、セル識別を実行することができる。ＵＥは、物理リソースチャネルの第２のセット４１２を使用して、第２の時間期間中に第２のタイプの無線測定を実行することができる。たとえば、ＵＥは、第２の時間期間中に、位置測定を実行することができる。
【００７７】
図５は、特定の一実施形態による、別の例示的な測定パターンを示すブロック図である。図５は、２つの時間期間Ｔ１およびＴ２を有する、周期的な測定パターンを示している。Ｔ１に関するパターンには、第１の動作のためのチャネルの第１のセット５１０（たとえば、無線測定を実行する際、ワイヤレスデバイス１１０などのＵＥを支援するためのセル帯域幅の中心周波数周辺に位置するＲＢ）が含まれる。Ｔ２に関するパターンには、第２の動作を実行するための（たとえば、アップリンクおよび／またはダウンリンクでＵＥに対してデータをスケジューリングするための）セル帯域幅内の任意の場所に位置する、チャネル５１２の第２のセット５１２が含まれる。測定パターンの１つの期間には、１つのＴ１と、１つのＴ２とが含まれる。Ｔ１およびＴ２には、時間領域において、１つまたは複数のリソースが含まれ得る。たとえば、図示されているように、パターンの各期間内において、Ｔ１は２つのサブフレームを含み、Ｔ２は９つのサブフレームを含んでいる。他の実施形態では、Ｔ１およびＴ２には、それぞれの時間期間に関連付けられた動作を実行するための任意の好適な数の時間リソースが含まれ得る。
【００７８】
特定の実施形態では、測定パターンは、ビットマップという観点で表現され得る。かかるビットマップでは、０と１により、第１の動作のためのチャネルの第１のセット（Ｃｎａｒｒｏｗ１）と、第２の動作のためのチャネルの第２のセット（Ｃｎａｒｒｏｗ２）とを含有する、時間リソースが表され得る。たとえば、図５に示す測定パターンは、ビットマップ的に１１０００００００００と表現することが可能であり、これが測定パターンの１つの期間を表している。たとえば、各１は、ＲＢがシステム帯域幅の中心に割り当てられたサブフレームを表し、各０は、ＲＢがシステム帯域幅内の任意の場所に割り当てられたサブフレームを表す。
【００７９】
特定の実施形態では、測定パターンは、測定パターンの期間が過ぎるたびに変化し得る。ただし、特に第１の動作（たとえば、ＵＥによって実行されるＲＳＲＰ／ＲＳＲＱ測定）が周波数領域内の特定の場所において同一の信号量を周期的に要求する場合には、期間が異なっていても、同一のビットマップが使用され得る。たとえば、モビリティ測定（たとえば、セル検索、ＲＳＲＰ、ＲＳＲＱなど）を実行する際に、または特定の位置測定（たとえば、ＵＥ  Ｒｘ−Ｔｘ時間差測定）に向けてＵＥを支援するために、パターンは、４０ｍｓ毎に少なくとも６つの中心ＲＢを有する、少なくとも２つのサブフレームを含み得る。そのようなパターンの例を、ビットマップ的に、１１００００００００  ００００００００００  ００００００００００  ００００００００００と表現することができる。４０個のサブフレームで構成される期間における最初の２つのサブフレームには、システム帯域幅の中心に少なくとも６つのＲＢが含まれる。
【００８０】
特定の実施形態において、測定パターンには、各パターン期間内に（すなわち、パターンの周期性の中に）第３の時間期間Ｔ３が含まれ得る（図示なし）。たとえば、Ｔ３は、セルのシステム帯域幅内周波数における特定の場所に位置する第３のタイプの動作を可能にするための物理チャネルの第３のセット（Ｃｎａｒｒｏｗ３）を含有し得る。第３のタイプの動作の例としては、第１のタイプの動作を用いたのでは実行不可能な無線測定の実行が挙げられる。Ｔ１とＴ３の間、チャネルの特定の場所は異なり得る。特定の実施形態において、測定パターンには、各パターン期間を有する、複数の時間期間が含まれ得る。
【００８１】
測定パターンに関連する情報には、以下のうちの１つまたは複数が含まれ得る。
−  パターン開始参照時間（たとえば、隣接セルのシステムフレーム番号（ＳＦＮ））。
−  第１および／または第２の時間期間に関するセル帯域幅内の物理チャネルの数および／または物理チャネルの場所。
−  密集したパターンにおける、Ｔ１およびＴ２内の時間リソースの分布（すなわち、Ｔ１およびＴ２内のサブフレームの数）。たとえば、４０ｍｓという期間の測定パターンにおける、Ｔ１およびＴ２内の２つの連続したサブフレームおよび３８個の連続したサブフレーム。
−  測定パターンが適用される持続時間（たとえば、一纏めにしたＬ個の測定期間の間、１０秒間、時間無制限など）。
−  パターンの終了時間（たとえば、ＳＦＮで表現される）。
−  パターンが周期性と非周期性のどちらであるか（たとえば、非周期性のパターンには、１回限りの周期も含まれ得る）。
−  パターンの目的（たとえば、少なくともモビリティ測定を実行するため、または位置測定のため、またはいくつかのタイプの測定のためなどにＴ１は使用される）。
−  パターンの方向がアップリンクとダウンリンクのどちらであるか。たとえば、パターンが使用される、すなわち固有のものとなるのは、ダウンリンクか、アップリンクか、またはアップリンクとダウンリンクの両方であるか。ダウンリンク専用のパターンでは、物理チャネルの第１のセットが、Ｔ１の間、ダウンリンクセル帯域幅内のダウンリンク搬送波周波数においてのみ、第１の動作のために、特定の場所に割り当てられ得る。物理チャネルの第１のセットは、異なる場所において、Ｔ１の間のアップリンクセル帯域幅内のアップリンク搬送波周波数に割り当てられてもよい。この例では、Ｔ２の間、物理チャネルの第１のセットが、アップリンクとダウンリンクの帯域幅内で、アップリンクとダウンリンクの搬送波周波数の特定の場所に、それぞれ割り当てられ得る。
−  パターンを適用可能なセルＩＤ（たとえば、隣接セルＩＤ）。
−  パターンを適用可能な搬送波周波数（たとえば、搬送波のＥＡＲＦＣＮ、ＲＡＴなど）。たとえば、パターンは、非サービング搬送波周波数に適用され得る。
−  パターンが搬送波周波数上のすべてのセルに適用されるかどうか。
−  パターンが、無線測定を実行するために設定されたすべての搬送波周波数に適用されるかどうか。
−  少なくとも１つのサービングセル（たとえば、ＰＣｅｌｌ）上で使用されるパターンが、無線測定を実行するために設定された非サービング搬送波周波数についても同じかどうか。
−  パターンが関連付けられる（すなわち、特定の周波数帯域または帯域のグループに属する搬送波にのみ適用される）周波数帯域。
−  同一パターンを使用する同一搬送波上のセルが時間的に整列したものか否か。各セルの無線フレームの送信タイミングが特定のマージン内（たとえば、±３μｓ内）で時間的に整列すれば、同セルは時間的に整列したものとなる。時間的に整列したセルおよび時間的に整列しないセルは、それぞれ、同期セルおよび非同期セルとも呼ばれ得る。
−  測定期間中に干渉を低減させるために測定パターンを隣接セルの測定パターンと整合すべきかどうかに関する隣接セルからの指標。整合は、たとえば、自身のパターンを１つまたは複数の隣接ネットワークノードに送信する第１のネットワークノード（たとえば、ｅＮｏｄｅＢ１が、自身のパターンを、Ｘ２インターフェースを介してｅＮｏｄｅＢ２に送信する）と、受信したパターンを自身のパターンに適応させることで干渉を低減させる隣接ネットワークノード（たとえば、ｅＮｏｄｅＢ２）とを参照する。たとえば、測定を可能にするためにチャネルの第１のセットが設定された時間間隔またはサブフレームは、２つ以上のネットワークノード間で時間的に整列させることができる。このようにすることで、測定実行時、異なるネットワークノードから受けるＵＥにおける干渉を安定したものにすることや、予測範囲内のものにすることができる。
−  パラメータとしての最低送信−受信分離（既定されるか設定可能なもの）。２つ以上を既定し、１つをネットワークが設定することも可能である。また、パラメータは、送信電力レベルにも依存し得る。
ＵＥは、ネットワークノードから、測定パターン情報を受信することができる。
【００８２】
図６は、特定の一実施形態による、ワイヤレスデバイスにおける、特定の測定パターンを用いた無線測定を実行するための例示的な方法のフローチャートである。特定の実施形態では、方法６００のうちの１つまたは複数のステップは、図３〜図９Ｂを参照しながら説明されるネットワーク１００の構成要素によって実行され得る。
【００８３】
方法は、ステップ６１２より開始する。ステップ６１２において、ワイヤレスデバイスは、狭帯域幅動作に対応可能であると判断する。たとえば、ワイヤレスデバイス１１０は、アップリンクおよびダウンリンクに関する合計システム帯域幅の６つのＰＲＢのサブセットを用いて狭帯域幅動作に対応可能であると判断することができる。
【００８４】
特定の実施形態では、ワイヤレスデバイスは、自身のメモリに記憶された能力設定に基づき、狭帯域幅動作に対応可能であると判断する。いくつかの実施形態では、ワイヤレスデバイスは、狭帯域幅動作のために設定され得る（たとえば、上述のパラメータＣｎａｒｒｏｗおよび（δｆ）を用いて設定される）。ワイヤレスデバイスは、こうしたことを、ネットワークノードから受信した設定メッセージに基づいて判断することができる。
【００８５】
いくつかの実施形態では、ワイヤレスデバイスは、サービング搬送波周波数の少なくとも１つのセル上で１つまたは複数の無線測定（たとえば、ＲＳＲＰ）を、自身がどのように実行するか、またはどのように実行するように設定されているかに基づき、狭帯域幅動作に対応可能であると判断する。たとえば、ワイヤレスデバイスは、こうしたことを、自身の測定ユニットのアクティビティ、ネットワークノードから受信した測定設定メッセージなどに基づいて判断することができる。測定設定メッセージは、ワイヤレスデバイスをトリガして、メッセージ内に示された測定を実行させる。
【００８６】
ステップ６１４において、ワイヤレスデバイスは、第１の時間期間中に１つまたは複数の第１のタイプの無線測定を実行するため、かつ第２の時間期間中に１つまたは複数の第２のタイプの無線測定を実行するための測定パターンに関連付けられたパラメータを入手する。たとえば、ワイヤレスデバイス１１０は、ネットワークノード１２０から、パラメータ（図５を参照して説明したＴ１およびＴ２に関連付けられたパラメータなど）を受信することができる。
【００８７】
特定の実施形態では、ＵＥは、１つまたは複数の第１のタイプの測定を実行するために、少なくとも１つの測定パターン（たとえば、第１の測定パターン）に関する情報を入手する。第１のタイプの無線測定は、ＵＥにより、システム帯域幅内の物理チャネルの同一セット内で送信された同一または異なる無線信号で実行され得る。たとえば、ＲＳＲＰ、ＲＳＲＱ、およびセル識別は、第１のタイプの無線測定の例である。なぜなら、これらはすべて、セルのシステム帯域幅内の６つの中心ＲＢにおいて実行され得るからである。
【００８８】
ワイヤレスデバイスは、さまざまな手段で、測定パターンに関連付けられたパラメータを入手することができる。いくつかの実施形態では、パターンは、標準的な文書の形で指定または既定され得る。ワイヤレスデバイスは、パターン情報の少なくとも一部を記憶し、自身が測定パターンを使用する必要があるときに、自身のメモリからこの情報を取り出すことができる。
【００８９】
いくつかの実施形態では、パラメータは、ネットワークノードによって設定され得る。ワイヤレスデバイスは、測定パターンを使用するために、パターン情報の少なくとも一部を、ネットワークノードから受信することができる。いくつかの実施形態では、これら２つのメカニズムを、既定された情報に基づく特定のパラメータ、およびネットワークノードから受信した情報に基づく残存パラメータを入手することによって組み合わせることができる。
【００９０】
いくつかの実施形態では、履歴データまたは統計が使用され得る。ワイヤレスデバイスは、パターンに関連付けられた１つまたは複数のパラメータを決定するために、過去に使用された測定パターンに関する統計または情報を使用することができる。
【００９１】
以下の例では、測定パターンに関連付けられたパラメータを入手する種々の方法についてさらに説明する。特定の実施形態では、ワイヤレスデバイスは、ネットワークノードから、パターンの周期性またはシーケンス（たとえば、４０ｍｓの周期性）を入手する。ワイヤレスデバイスは、既定した情報から、残存パラメータを入手する。たとえば、パターン開始時間は、ＳＦＮ＝０と既定することができる。特定の実施形態では、パターンの周期性およびいくつかの他のパラメータ（たとえば、ＳＦＮ＝６４などのパターン開始時間）は、ネットワークノードにより、別のネットワークノードまたはＵＥにシグナリングされ得る。
【００９２】
特定の実施形態では、パターンの周期性およびいくつかの他のパラメータは、ＵＥ  ＩＤから導出可能なページング機会パターンを用いて整列され得る。たとえば、測定パターンは、測定パターンの周期性、および／またはページング機会（たとえば、アイドルモード中の不連続受信（ＤＲＸ）サイクルのＯＮ持続時間）を有する測定パターンの周期性の中で、第１の時間期間（すなわち、測定を実行可能な時間）を整列するようになされ得る。
【００９３】
特定の実施形態では、パターンの周期性およびいくつかの他のパラメータは、システム情報配信パターン（たとえば、システム情報ブロック（ＳＩＢ）を含有するＰＢＣＨおよび／またはＰＤＳＣＨの送信に用いられる周期性）を用いて整列され得る。たとえば、測定パターンは、配信情報がセル内で送信されるか送信可能であるとき、測定パターンの周期性、および／または時間インスタンスもしくは持続時間を有する測定パターンの周期性の中で、第１の時間期間（すなわち、測定を実行可能な時間）を整列するようになされ得る。
【００９４】
特定の実施形態では、パターンの周期性およびいくつかの他のパラメータは、ＤＲＸサイクルを用いて整列され得る。たとえば、測定パターンは、測定パターンの周期性、および／またはＤＲＸサイクルのＯＮ持続時間を有する測定パターンの周期性の中で、第１の時間期間（すなわち、測定を実行可能な時間）を整列するようになされ得る。他の実施形態では、ＤＲＸサイクルのＯＮ持続時間は、パターンの周期性および／または測定パターンの周期性の中で、第１の時間期間（すなわち、測定を実行可能な時間）を用いて整列することができる。たとえば、ＤＲＸサイクルが４０ｍｓ、かつＤＲＸ  ＯＮ持続時間が５ｍｓの場合、ネットワークノードは、４０ｍｓの周期性を有するパターンと、ＤＲＸ  ＯＮ持続時間と重複する少なくとも１ｍｓのＴ１期間とを作成することができる。
【００９５】
特定の実施形態では、ワイヤレスデバイスは、１つまたは複数の第２のタイプの測定を実行するために、第２の測定パターンに関する情報を入手する。第２のタイプの無線測定もまた、ＵＥにより、システム帯域幅内の物理チャネルの同一セット内で送信された同一または異なる無線信号上で実行される。ただし、第１のタイプの無線測定と、第２のタイプの無線測定では、必要となる物理チャネルのセットが異なり得る。ＯＴＤＯＡ  ＲＳＴＤは、第２のタイプの無線測定の例であり、セルのシステム帯域幅の下部または上部にＰＲＳ信号を含有する６つ以上のＲＢ内で実行することが可能である。
【００９６】
ステップ６１６において、ワイヤレスデバイスは、入手したパラメータを用いて、測定パターンを決定する。たとえば、ワイヤレスデバイス１１０は、ネットワークノード１２０から受信したパラメータに基づき、図４および図５に関連して説明した測定パターンなどの測定パターンを決定することができる。
【００９７】
特定の実施形態では、入手したパラメータが測定パターンを完全に指定し得る。いくつかの実施形態では、ワイヤレスデバイスは、完全な測定パターンを決定するために、入手したパラメータを、他の既定の情報または計算された情報と組み合わせることができる。たとえば、ＰＲＢの割り当てはネットワークノードから入手され得るが、測定パターンの周期性は既定されたものとなり得る。特定の実施形態では、ワイヤレスデバイスは、測定パターンを決定するために、入手したパラメータと、ワイヤレスデバイスが狭帯域動作に対応可能であるという判断とを使用することができる。
【００９８】
ステップ６１８において、ワイヤレスデバイスは、第１の時間期間の間、１つまたは複数の第１のタイプの無線測定を実行する。たとえば、ワイヤレスデバイス１１０は、時間期間の間、第１のパターンにおいて指定されたＰＲＢを用いて、セル識別を実行することができる。
【００９９】
特定の実施形態では、ＵＥは、パターン内の異なる時間期間（たとえば、Ｔ１およびＴ２）における異なる動作に関するチャネルの第１および第２のセットに従い、信号を受信および送信するための自身の無線受信機および／または無線送信機をそれぞれ設定することができる。さらに、ＵＥは、自身がダウンリンクおよび／またはアップリンクの信号で１つまたは複数の無線測定を実行中であるかどうか、または実行することを期待されているかどうかについて判断することができる。ＵＥが無線測定の実行を期待されている場合、同ＵＥは、測定に関する物理チャネルの第１のセットを、該当する時間期間の間に（すなわち、物理チャネルの第１のセットを測定の実行のために受信可能な間に）受信および送信するために、自身の受信機および／または送信機のチューニングを行う。
【０１００】
たとえば、パターン期間内の特定のサブフレームの間（たとえば、５０個のサブフレームのうちの２つ）、ＵＥは、ダウンリンクセル帯域幅（たとえば、５０個のＲＢ）の中心の６つのＲＢを受信するように自身の受信機をチューニングし、チャネルの第１のセットが６つの中心ＲＢであると想定した測定（たとえば、ＲＳＲＰ、ＲＳＲＱなど）を実行することになる。ＵＥは、これらのサブフレームの間に、同一搬送波上の１つまたは複数のセル（たとえば、サービングセルおよび１つまたは複数の隣接セル、または１つまたは複数の隣接セルなど）上で測定を実行し得る。
【０１０１】
別の例として、パターン期間内の特定のサブフレームの間、ＵＥは、ＤＬセルＢＷ（たとえば、５０個のＲＢ）の中心の２５個のＲＢを受信するように自身の受信機をチューニングし、チャネルの第１のセットが２５個の中心ＲＢであると想定した測定（たとえば、ＲＳＲＰ、ＲＳＲＱなど）を実行することになる。ＵＥは、これらのサブフレームの間に、同一搬送波上の１つまたは複数のセル（たとえば、サービングセルおよび１つもしくは複数の隣接セル、または１つもしくは複数の隣接セルなど）上で測定を実行し得る。
【０１０２】
特定の実施形態では、１つまたは複数の無線測定の実行後、ＵＥは、１つまたは複数の無線リソース管理（ＲＲＭ）タスクのための測定値を使用することができる。ＲＲＭタスクの例としては、セル選択、セル再選択、セル変更、メモリへの結果の記憶またはロギング、ネットワークノードへの（たとえば、自身のサービングノードへの）測定結果の報告などのための測定値の使用が挙げられる。
【０１０３】
図６の方法に対しては、修正、追加、または省略がなされてよい。また、図６の方法における１つまたは複数のステップは、並行して、または任意の好適な順序で実行されてよい。方法は、必要に応じていつでも繰り返されてよい。
【０１０４】
図７は、特定の一実施形態による、ネットワークノードにおける、測定パターンを決定するための例示的な方法のフローチャートである。特定の実施形態では、方法７００のうちの１つまたは複数のステップは、図３〜図９Ｂを参照しながら説明されるネットワーク１００の構成要素によって実行され得る。
【０１０５】
方法は、ステップ７１２より開始する。ステップ７１２において、ネットワークノードは、ワイヤレスデバイスが狭帯域幅動作に対応可能であると判断する。たとえば、ネットワークノード１２０は、ワイヤレスデバイス１１０が狭帯域幅動作に対応可能であると判断することができる。
【０１０６】
特定の実施形態では、ネットワークノードは、ワイヤレスデバイスが１つまたは複数の少なくとも第１のタイプの測定（図４および図５に関連して説明したもの）を実行可能となるように、１つまたは複数の測定パターンを設定する必要性を判断する。１つまたは複数の測定パターンを設定する必要性に関する判断は、１つまたは複数の基準または条件によってトリガされ得る。
【０１０７】
たとえば、ネットワークノードは、（たとえば、ＵＥから受信したＵＥ能力情報に基づいて）ネットワークノードによってサーブされるセル内に狭帯域幅動作に対応可能なワイヤレスデバイスが少なくとも１つ存在していることを検出し得る。別の例では、ネットワークノードは、自身がワイヤレスデバイスを狭帯域動作に向けて設定したということを、かかる設定メッセージをワイヤレスデバイスに送信または送信準備する（たとえば、上述のパラメータＣｎａｒｒｏｗおよび（δｆ）を用いてワイヤレスデバイスを設定する）ことによって判断する。
【０１０８】
別の例として、ネットワークノードは、狭帯域幅動作に対応可能な、または狭帯域幅動作を設定しているＵＥが、サービング搬送波周波数の少なくとも１つのセル上で１つまたは複数の無線測定（たとえば、ＲＳＲＰ）を実行しているか、または実行を期待されているということを検出することができる。特定の実施形態では、ネットワークノードは、こうしたことを、ＵＥに送信された、または送信されることが期待される、測定設定メッセージに基づいて判断することができる。
【０１０９】
別の例として、ネットワークノードは、自身が、狭帯域幅動作に対応可能な、または狭帯域幅動作を設定しているＵＥによって送信された少なくともアップリンク信号上で１つまたは複数の無線測定（たとえば、アップリンクＳＩＮＲ、ｅＮｏｄｅＢ  Ｒｘ−Ｔｘ時間差）を実行しているか、または実行を期待されているということを判断することができる。特定の実施形態では、ネットワークノードは、こうしたことを、自身の測定ユニットのアクティビティ、かかる測定を実行するために同ネットワークノードによって使用される測定設定などに基づいて判断することができる。
【０１１０】
ステップ７１４において、ネットワークノードは、第１の時間期間中に１つまたは複数の第１のタイプの無線測定を実行するため、かつ第２の時間期間中に１つまたは複数の第２のタイプの無線測定を実行するための測定パターンに関連付けられたパラメータを決定する。たとえば、ネットワークノード１２０は、測定パターンに関連付けられたパラメータ（図５を参照して説明した、Ｔ１およびＴ２に関連付けられたパラメータなど）を、セル識別の実行など、ある動作をワイヤレスデバイス１１０に実行させるために決定する。
【０１１１】
特定の実施形態では、１つまたは複数の測定パターンを決定する必要性がトリガされた後、ネットワークノードが、対応する測定パターンを作成、決定、または生成する。パターンの作成には、１つまたは複数のパターン、またはパターンに関連付けられた属性を選択することが含まれ得る。パラメータまたは属性は、図４および図５に関連して上述したものである。一部のパラメータを既定し、その他のパラメータは、ネットワークノードによって決定されたものとすることが可能である。各パターンには、少なくとも２つの時間期間（Ｔ１およびＴ２）、Ｔ１の間の少なくとも第１の動作に関するチャネルの第１のセット、およびパターンの反復周期性またはシーケンスが含まれる。パターンに関する１つまたは複数のパラメータを選択するための基準の例を以下に示す。
【０１１２】
たとえば、パターンパラメータの選択時、ネットワークノードは、アップリンクおよび／またはダウンリンクの時間リソース内にデータを有するＵＥをスケジューリングするのに必要なリソースまたは物理チャネル（たとえば、サブフレーム、ＲＢ）の量を検討することができる。ＵＥが大量のデータをスケジューリングすることになる場合、ネットワークノードは、Ｔ１よりも大幅に長いＴ２（たとえば、Ｔ１とＴ２は、それぞれ、１つのサブフレームと１９個のサブフレームで構成され得る）を選択することができる。
【０１１３】
別の例として、パターンパラメータの選択時、ネットワークノードは、少なくともダウンリンク信号でＵＥによって、かつ／またはＵＥによって送信された信号でネットワークノードによって実行されているか実行されることになる１つまたは複数の測定に必要なリソースまたは物理チャネル（たとえば、サブフレーム、ＲＢ）の量を検討することができる。特定の実施形態では、Ｔ１の持続時間は、測定を実行するためにＵＥおよび／またはネットワークノードに必要な測定サンプルまたはスナップショットの量と周波数に依存したものとなり得る（たとえば、長いサンプルの場合、Ｔ１およびＴ２は、それぞれ、２つのサブフレームと２８個のサブフレームから構成され、サンプルの頻度が高いのであれば、Ｔ１およびＴ２は、それぞれ、２つのサブフレームと１８個のサブフレームから構成される）。
【０１１４】
別の例として、パターンパラメータの選択時、ネットワークノードは、少なくともダウンリンク信号上でＵＥによって、かつ／またはＵＥによって送信された信号上でネットワークノードによって実行されているか実行されることになる測定のタイプを検討することができる。測定のタイプの例としては、モビリティ測定（たとえば、セル検索、ＲＬＭ、ＲＳＲＰなど）および位置測定（たとえば、ＲＳＴＤ）が挙げられる。セルの搬送波帯域幅の中心ＲＢ内で送信される信号で測定が実行される場合、ネットワークノードは、少なくとも要求される数のＲＢ（たとえば、少なくとも６つのＲＢ）がセル帯域幅中心のアップリンクおよび／またはダウンリンクで送信されるパターンを選択することができる。
【０１１５】
特定の実施形態では、ネットワークノードは、第２の時間期間中に１つまたは複数の第２のタイプの無線測定を実行するための測定パターンに関連付けられたパラメータを決定することができる。たとえば、ネットワークノード１２０は、測定パターンに関連付けられたパラメータ（図５を参照して説明した、Ｔ２に関連付けられたパラメータなど）を、位置測定などの第２の動作をワイヤレスデバイス１１０に実行させるために決定する。
【０１１６】
ステップ７１６において、ネットワークノードは、ワイヤレスデバイスにパラメータを通信する。たとえば、ネットワークノード１２０は、ワイヤレスデバイス１１０にパラメータを通信し得る。
【０１１７】
特定の実施形態では、ネットワークノードは、決定した１つまたは複数の測定パターンに関連する情報をＵＥに送信し得る。情報には、決定したパターンに関する１つまたは複数の既定の識別子、決定したパターンに関連付けられるかこれを規定する１つまたは複数のパラメータなどが含まれ得る。ネットワークノードは、決定した測定パターンに関連する情報を、ＲＲＣシグナリングまたはＭＡＣシグナリングによってシグナリングし得る。ネットワークノードは、情報のシグナリングを、配信チャネル（たとえば、ＰＤＳＣＨ、ＰＢＣＨなど）で、またはＵＥ固有もしくは専用の（たとえば、ＰＤＳＣＨを介した）メッセージで行い得る。決定した測定パターンに関連する情報は、任意のＲＲＣ接続状態（たとえば、ＲＲＣアイドル状態、ＲＲＣ接続状態など）でＵＥにシグナリングされ得る。また、決定した測定パターンに関連する情報は、ＲＡＴ間測定を実行するために、ＵＥにシグナリングされ得る（たとえば、Ｅ−ＵＴＲＡ搬送波の１つまたは複数のセルでＵＥが測定を行うことを要求するＨＳＰＡ  ＲＮＣ）。
【０１１８】
特定の実施形態では、ネットワークノードは、決定した１つまたは複数の測定パターンに関連する情報を、１つまたは複数の他のネットワークノードに送信し得る。他のネットワークノードの例としては、ＢＳ、ｅＮｏｄｅＢ、ＲＮＣ、ＢＳＣなどの隣接ネットワークノード、ＭＭＥなどのコアネットワークノードなどが挙げられる。
【０１１９】
オプションであるステップ７１８において、ネットワークノードは、第１の時間期間の間、１つまたは複数の第１のタイプの無線測定を実行する。たとえば、ネットワークノード１２０は、ワイヤレスデバイス１１０からのアップリンク信号を測定し得る。特定の実施形態では、ネットワークノードは、１つまたは複数の無線動作またはタスクまたは手順を実行するために、決定した測定パターンを使用または適用し得る。
【０１２０】
特定の実施形態では、ネットワークノードは、測定パターンに従い、少なくとも部分的に自身の送受信機（すなわち、無線送信機および／または無線受信機）を適応させることができる。たとえば、ネットワークノードは、Ｔ１での第１のタイプの動作（たとえば、測定）のためのチャネルの第１のセットに従うと同時にＴ２での第１のタイプの動作（たとえば、データスケジューリング）のためのチャネルの第１のセットに従って、自身の送受信機を調整することができる。これにより、ネットワークノードは、パターンに従って信号を送信および／または受信することや、測定を実行することなどが可能になる。送受信機を適応させることには、所与の送信−受信周波数分離のために割り振られた送信機電力を変更することが含まれ得る。
【０１２１】
特定の実施形態では、ネットワークノードは、決定したパターンに基づき、アップリンクおよび／またはダウンリンクにおけるデータのスケジューリングに適応することができる。たとえば、ネットワークノードは、決定したパターンの少なくとも時間期間Ｔ２の間、アップリンク送信およびダウンリンク送信のためのデータを、それぞれ、アップリンク時間リソースとダウンリンク時間リソース上でスケジューリングすることができる。ネットワークノードは、利用可能なリソースが存在する場合、Ｔ１の間にＵＥをスケジューリングすることができる。ＵＥによって取得されるスケジューリング情報は、アップリンクでの送信およびダウンリンクでの受信のために、ＵＥによって使用され得る。
【０１２２】
図７の方法には、修正、追加、または省略がなされてよい。また、図７の方法における１つまたは複数のステップは、並行して、または任意の好適な順序で実行されてよい。方法は、必要に応じていつでも繰り返されてよい。
【０１２３】
特定の実施形態では、ワイヤレスデバイスは、狭帯域幅動作内で関連付けられた測定パターンの入手および適用に関連する自身の能力をシグナリングすることができる。たとえば、ＵＥは、能力情報を別のノード（基地局、ｅＮｏｄｅＢ、リレー、コアネットワーク（ＭＭＥ）、Ｄ２Ｄ動作に対応可能な別のＵＥなどといった、ネットワークノード）にシグナリングして、他のノードに対し、同ＵＥが、狭帯域幅動作のもとで使用する１つまたは複数の測定パターンに関連する情報の取得および使用または適用に対応可能かどうかを通知することができる。特定の例として、ＵＥ能力情報は、ＵＥが少なくとも２つの時間期間を含む少なくとも１つの測定パターンの入手および使用に対応可能かどうかを示すことができ、このとき、第１および第２の時間期間は、セルのシステム帯域幅内周波数における特定の場所に位置する第１のタイプの動作を可能にするための物理チャネルの第１のセット（Ｃｎａｒｒｏｗ１）と、セルのシステム帯域幅内の任意の周波数位置に位置する第２のタイプの動作のための物理チャネルの第２のセット（Ｃｎａｒｒｏｗ２）とを含有する。一般的に、ＵＥは、自身が、測定パターンに関連する１つまたは複数のパラメータを入手することと、このパラメータを使用して完全なパターンを決定し、第１の時間期間の間、決定したパターンを少なくとも１つの無線測定を実行するために使用することに対応可能であるかどうかを示すことができる。能力情報は、ＵＥが、図３〜図７に関連して上で説明した手順のいずれかに対応可能であるかどうかを示し得る。
【０１２４】
特定の実施形態では、能力情報は、上位レイヤのシグナリング（たとえば、ＲＲＣシグナリング）により、ネットワークノードに送信され得る。情報は、初期通話セットアップの間、セル変更（たとえば、ハンドオーバなど）の後、またはセッションもしくは通話中に送信され得る。
【０１２５】
特定の実施形態では、能力情報の例として、次のようなものが挙げられる。（１）ワイヤレスデバイスが、（たとえば、既定のパラメータおよび／または規則に基づく）測定パターンの自律決定に対応可能かどうか。（２）ワイヤレスデバイスが、ネットワークノードから受信した情報または指標に基づく測定パターンの決定または選択に対応可能かどうか。（３）ワイヤレスデバイスが、ネットワークノードおよび／または別のＵＥから受信した情報と、既定のパラメータおよび／または規則と、ＵＥによる自律決定との任意の組み合わせに基づく測定パターンの決定に対応可能かどうか。（４）本明細書に記述する動作のうちのいずれか１つまたは複数をワイヤレスデバイスが実行可能になるための周波数帯域。（５）ワイヤレスデバイスが実行可能な無線測定のタイプ。
【０１２６】
特定の実施形態では、ネットワークノード（たとえば、ｅＮｏｄｅＢ、基地局など）は、１つまたは複数の無線動作タスクまたはネットワーク管理タスクを実行するために、取得したＵＥ能力情報を使用することができる。たとえば、ネットワークノードは、受信したＵＥ能力情報を、ＵＥのセル変更後に同ＵＥ能力情報を使用可能な別のネットワークノードに転送することができる。ネットワークノードは、今後の使用（たとえば、ネットワークノードが後に同じＵＥにサーブし、同ＵＥが狭帯域幅動作のもとで測定を実行する場合）に向けて、受信した能力情報を記憶することができる。
【０１２７】
特定の実施形態では、ネットワークノードは、受信した情報に基づき、狭帯域幅動作のもとで１つまたは複数の無線測定を実行中のＵＥを支援するために、決定した測定パターンに関連する任意の情報または情報のタイプを設定またはシグナリングするかどうかを判断することができる。たとえば、ＵＥが、すべてのパラメータを自律的に、または既定の規則に基づいて決定することが不可能であることを理由に測定パターンの受信を必要とする場合、ネットワークノードは、パターン（たとえば、図４および図５に関連して説明したもの）の１つまたは複数のパラメータまたはすべてのパラメータを決定し、決定したパターンおよび／または関連パラメータをＵＥにシグナリングする。
【０１２８】
図８Ａは、ワイヤレスデバイスの例示的な一実施形態を示すブロック図である。ワイヤレスデバイスは、図３に示したワイヤレスデバイス１１０の一例である。個々の例を挙げると、携帯電話、スマートフォン、ＰＤＡ（携帯情報端末）、ポータブルコンピュータ（たとえば、ラップトップ、タブレット）、センサ、モデム、マシン型（ＭＴＣ）デバイス／マシンツーマシン（Ｍ２Ｍ）デバイス、ラップトップ内蔵機器（ＬＥＥ）、ラップトップ搭載機器（ＬＭＥ）、ＵＳＢドングル、装置間通信対応デバイス、またはワイヤレス通信を実現可能なその他任意のデバイスがある。ワイヤレスデバイスには、送受信機８３０、プロセッサ８２０、およびメモリ８３０が含まれる。いくつかの実施形態では、送受信機８１０が、ワイヤレス信号をネットワークノード１２０との間で（たとえば、アンテナを介して）送受信するのを容易にし、プロセッサ８２０が、ワイヤレスデバイスによって提供される、本明細書で記述する機能の一部または全部を提供する命令を実施し、メモリ８３０が、プロセッサ８２０によって実施される命令を記憶する。
【０１２９】
プロセッサ８２０には、ワイヤレスデバイスの説明した機能の一部または全部を実行するように命令を実施してデータを操作するために、１つまたは複数の集積回路またはモジュール内に実装されたハードウェアとソフトウェアの任意の好適な組み合わせが含まれる。メモリ８３０は、一般的に、コンピュータ実行可能なコードおよびデータを記憶するように動作可能である。メモリ８３０の例としては、コンピュータメモリ（たとえば、ランダムアクセスメモリ（ＲＡＭ）またはリードオンリメモリ（ＲＯＭ））、大容量記憶媒体（たとえば、ハードディスク）、リムーバブル記憶媒体（たとえば、コンパクトディスク（ＣＤ）またはデジタルビデオディスク（ＤＶＤ））、および／または揮発性もしくは不揮発性であり、非一時的なコンピュータ可読かつ／もしくはコンピュータ実行可能な、情報を記憶するその他任意のメモリデバイスが挙げられる。
【０１３０】
特定の実施形態では、送受信機８１０と通信中のプロセッサ８２０は、ワイヤレスデバイス１１０が狭帯域動作に対応可能かどうかを判断すること、測定パターンに関連付けられたパラメータを、ネットワークノード１２０またはメモリ８３０から入手すること、受信したパラメータに基づいて測定パターンを決定すること、およびワイヤレス無線信号を測定または取得することが可能である。たとえば、送受信機８１０と通信中のプロセッサ８２０は、図６に示した方法６００のステップを実行することが可能である。
【０１３１】
ワイヤレスデバイスの他の実施形態には、上述した機能のいずれか、および／または（上述の解決策をサポートするのに必要なあらゆる機能を含む）任意の追加機能を含めた、ワイヤレスデバイスの機能の特定の態様を提供することを担う、（図８Ａに示すもの以外も含めた）追加の構成要素が含まれ得る。
【０１３２】
図８Ｂは、ワイヤレスデバイスの例示的な構成要素を示すブロック図である。構成要素には、狭帯域判断モジュール８４０、パターン決定モジュール８５０、入手モジュール８６０、および測定モジュール８７０が含まれ得る。
【０１３３】
狭帯域判断モジュール８４０は、ワイヤレスデバイス１１０の狭帯域判断機能を実行することができる。たとえば、狭帯域判断モジュール８４０は、ワイヤレスデバイス１１０が狭帯域動作に対応可能かどうかを判断することができる。特定の実施形態では、狭帯域判断モジュール８４０がプロセッサ８２０を含むか、狭帯域判断モジュール８４０がプロセッサ８２０に含まれ得る。狭帯域判断モジュール８４０には、無線信号を受信するように設定された回路構成が含まれ得る。特定の実施形態では、狭帯域判断モジュール８４０は、パターン決定モジュール８５０、入手モジュール８６０、および測定モジュール８７０と通信することができる。
【０１３４】
入手モジュール８６０は、ワイヤレスデバイス１１０のパラメータ入手機能を実行することができる。たとえば、入手モジュール８６０は、ネットワークノード１２０から測定パラメータを入手することや、メモリ８３０に記憶された測定パラメータを入手することが可能である。特定の実施形態では、入手モジュール８６０がプロセッサ８２０を含むか、入手モジュール８６０がプロセッサ８２０に含まれ得る。入手モジュール８６０には、無線信号を受信するように設定された回路構成が含まれ得る。特定の実施形態では、入手モジュール８６０は、パターン決定モジュール８５０、狭帯域判断モジュール８４０、および測定モジュール８７０と通信することができる。
【０１３５】
パターン決定モジュール８５０は、ワイヤレスデバイス１１０の測定パターン決定機能を実行することができる。たとえば、パターン決定モジュール８５０は、ネットワークノード１２０から受信するかメモリ８３０に記憶されたパラメータに基づき、測定パターンを決定することができる。特定の実施形態では、パターン決定モジュール８５０がプロセッサ８２０を含むか、パターン決定モジュール８５０がプロセッサ８２０に含まれ得る。特定の実施形態では、パターン決定モジュール８５０は、狭帯域判断モジュール８４０、入手モジュール８６０、および測定モジュール８７０と通信することができる。
【０１３６】
測定モジュール８７０は、ワイヤレスデバイス１１０の測定機能を実行することができる。たとえば、測定モジュール８７０は、決定した測定パターンに従い、ワイヤレス信号を測定することができる。特定の実施形態では、測定モジュール８７０がプロセッサ８２０を含むか、測定モジュール８７０がプロセッサ８２０に含まれ得る。測定モジュール８７０には、無線信号を受信するように設定された回路構成が含まれ得る。特定の実施形態では、測定モジュール８７０は、パターン決定モジュール８５０、狭帯域判断モジュール８４０、および入手モジュール８６０と通信することができる。
【０１３７】
図９Ａは、ネットワークノードの例示的な一実施形態を示すブロック図である。ネットワークノード１２０は、ｅＮｏｄｅＢ、ノードＢ、基地局、ワイヤレスアクセスポイント（たとえば、Ｗｉ−Ｆｉアクセスポイント）、低電力ノード、基地トランシーバ局（ＢＴＳ）、送信ポイントまたはノード、リモートＲＦユニット（ＲＲＵ）、リモート無線ヘッド（ＲＲＨ）、または他の無線アクセスノードとなり得る。ネットワークノード１２０には、少なくとも１つの送受信機９１０、少なくとも１つのプロセッサ９２０、少なくとも１つのメモリ９３０、および少なくとも１つのネットワークインターフェース９４０が含まれる。送受信機９１０は、ワイヤレス信号を、ワイヤレスデバイス１１０などのワイヤレスデバイスとの間で（たとえば、アンテナを介して）送受信するのを容易にし、プロセッサ９２０は、ネットワークノード１２０が提供するものとして上で説明した機能の一部または全部を提供する命令を実施し、メモリ９３０は、プロセッサ９２０によって実施される命令を記憶し、ネットワークインターフェース９４０は、ゲートウェイ、スイッチ、ルータ、インターネット、公衆交換電話網（ＰＳＴＮ）、コントローラ、および／または他のネットワークノード１２０など、バックエンドのネットワークコンポーネントに対し、信号を通信する。プロセッサ９２０およびメモリ９３０は、上記図８Ａのプロセッサ８２０およびメモリ８３０に関連して説明したのと同じタイプのものとすることができる。
【０１３８】
いくつかの実施形態では、ネットワークインターフェース９４０は、プロセッサ９２０に通信可能に結合されるものであり、ネットワークノード１２０への入力を受信し、ネットワークノード１２０からの出力を送信し、入力もしくは出力またはその両方に関する好適な処理を実行し、他のデバイスに通信を行うように動作可能な任意の好適なデバイス、あるいは前述したデバイスの任意の組み合わせを指す。ネットワークインターフェース９４０には、ネットワーク経由で通信を行うことを目的とした、プロトコル変換およびデータ処理能力を含む、適切なハードウェア（たとえば、ポート、モデム、ネットワークインターフェースカードなど）およびソフトウェアが含まれる。
【０１３９】
特定の実施形態では、送受信機９１０と通信中のプロセッサ９２０は、ワイヤレスデバイス１１０が狭帯域動作に対応可能かどうかを判断すること、測定パターンに関連付けられた測定パラメータをワイヤレスデバイス１１０のために決定すること、ワイヤレスデバイス１１０に測定パラメータを通信すること、およびワイヤレス無線信号を測定または取得することが可能である。たとえば、送受信機９１０と通信中のプロセッサ９２０は、図７に示した方法７００のステップを実行することが可能である。
【０１４０】
ネットワークノード１２０の他の実施形態には、上述した機能のいずれか、および／または（上述の解決策をサポートするのに必要なあらゆる機能を含む）任意の追加機能を含めた、無線ネットワークノードの機能の特定の態様を提供することを担う、（図９Ａに示すもの以外も含めた）追加の構成要素が含まれる。多種多様なタイプの無線ネットワークノードは、同一の物理ハードウェアを持つが、異なる無線アクセス技術をサポートするように（たとえば、プログラミングを介して）設定された構成要素を含むか、部分的または全体的に異なる物理的構成要素を表し得る。
【０１４１】
図９Ｂは、ネットワークノードの例示的な構成要素を示すブロック図である。構成要素には、狭帯域判断モジュール９４０、パターン決定モジュール９５０、通信モジュール９６０、および測定モジュール９７０が含まれ得る。
【０１４２】
狭帯域判断モジュール９４０は、ネットワークノード１２０の狭帯域判断機能を実行することができる。たとえば、狭帯域判断モジュール９４０は、ワイヤレスデバイス１１０が狭帯域動作に対応可能かどうかを判断することができる。特定の実施形態では、狭帯域判断モジュール９４０がプロセッサ９２０を含むか、狭帯域判断モジュール９４０がプロセッサ９２０に含まれ得る。狭帯域判断モジュール９４０には、無線信号を受信するように設定された回路構成が含まれ得る。特定の実施形態では、狭帯域判断モジュール９４０は、パターン決定モジュール９５０、通信モジュール９６０、および測定モジュール９７０と通信することができる。
【０１４３】
パターン決定モジュール９５０は、ネットワークノード１２０の測定パターン決定機能を実行することができる。たとえば、パターン決定モジュール９５０は、ワイヤレスデバイス１１０と共に使用するための測定パターンを決定することができる。特定の実施形態では、パターン決定モジュール９５０がプロセッサ９２０を含むか、パターン決定モジュール９５０がプロセッサ９２０に含まれ得る。特定の実施形態では、パターン決定モジュール９５０は、狭帯域判断モジュール９４０、通信モジュール９６０、および測定モジュール９７０と通信することができる。
【０１４４】
通信モジュール９６０は、ネットワークノード１２０の通信機能を実行することができる。たとえば、通信モジュール９６０は、ワイヤレスデバイス１１０に測定パラメータを通信し得る。特定の実施形態では、通信モジュール９６０がプロセッサ９２０を含むか、通信モジュール９６０がプロセッサ９２０に含まれ得る。通信モジュール９６０には、無線信号を送受信するように設定された回路構成が含まれ得る。特定の実施形態では、通信モジュール９６０は、パターン決定モジュール９５０、狭帯域判断モジュール９４０、および測定モジュール９７０と通信することができる。
【０１４５】
測定モジュール９７０は、ネットワークノード１２０の測定機能を実行することができる。たとえば、測定モジュール９７０は、決定した測定パターンに従い、ワイヤレスデバイス１１０から受信したワイヤレス信号を測定することができる。特定の実施形態では、測定モジュール９７０がプロセッサ９２０を含むか、測定モジュール９７０がプロセッサ９２０に含まれ得る。測定モジュール９７０には、無線信号を受信するように設定された回路構成が含まれ得る。特定の実施形態では、測定モジュール９７０は、パターン決定モジュール９５０、狭帯域判断モジュール９４０、および通信モジュール９６０と通信することができる。
【０１４６】
開示するいくつかの実施形態により、１つまたは複数の技術的利点が提供され得る。特定の実施形態では、少なくとも２つの時間期間を含む狭帯域幅動作で使用される特定の測定パターンにより、アップリンンクおよびダウンリンクの両方で無線測定を実行し、ワイヤレスデバイスに対するデータ送信をスケジューリングするために、ネットワークノードが十分な無線リソースを割り当てることが容易になる。ワイヤレスデバイスは、各測定パターン期間の特定の時間期間中の測定について保証されたリソースに基づく十分な測定機会を受け取る。このようにすることで、モビリティおよび測位性能は、ワイヤレスデバイスがシステム帯域幅よりも狭い帯域幅を用いて動作し、かつより狭い帯域幅が必ずしもセル帯域幅の中心にない場合であっても、低下しないものとなる。
【０１４７】
第１の時間間隔に関するパターンは、システム帯域幅内の特定の場所に位置する物理チャネルの第１のセット（たとえば、システム帯域幅内中心の６つのリソースブロック）を含む。よって、ＭＴＣワイヤレスデバイスが送信−受信周波数分離の小さいシステム帯域幅の端部近くの狭帯域で典型的に動作しているとしても、狭帯域幅ＭＴＣワイヤレスデバイスは、性能特性が改良された状態で固定の場所に位置する狭帯域幅内での測定を実行可能な少なくとも１つの測定期間（すなわち、第１の測定期間）を持つことになる（たとえば、狭帯域幅がシステム帯域幅内で中心となるとき、送信−受信周波数分離は、システム送信−受信周波数分離と等しくなる）。
【０１４８】
第２の時間期間に関するパターンは、システム帯域幅内の任意の場所に位置する物理チャネルの第２のセットを含み得る。ＭＴＣワイヤレスデバイスは、第２の時間期間を使用して、他の参照信号を測定することや、データの送受信を行うことが可能である。
【０１４９】
したがって、システム帯域幅内の任意の場所での狭帯域幅動作のために設定されたＭＴＣワイヤレスデバイスは、周波数帯域におけるシステム帯域幅内の特定の場所（たとえば、システム帯域幅の中心の６つのリソースブロック）で少なくとも特定のリソースが周期的にチューニングされる測定パターンを用いて設定されてもよい。これにより、ＭＴＣワイヤレスデバイスは、一定間隔で無線測定を実行することが可能となり、狭帯域幅動作のもとでも堅牢なモビリティ性能を発揮することが可能となる。
【０１５０】
実施形態によっては、これらの利点の一部または全部から恩恵を受けることもあれば、これらの利点のいずれからも恩恵を受けないこともある。その他の技術的利点は、当業者によって容易に見極められ得るものである。
【０１５１】
本明細書で開示したシステムおよび装置に対し、本発明の範囲から逸脱することなく、修正、追加、または省略がなされ得る。システムおよび装置の構成要素は、統合または分離されてよい。また、システムおよび装置の動作は、より多数の構成要素、より少数の構成要素、または他の構成要素によって実行され得る。加えて、システムおよび装置の動作は、ソフトウェア、ハードウェア、および／または他のロジックを含む、任意の好適なロジックを用いて実行され得る。本文書で使用される「各」とは、あるセットの各要素、またはあるセットのサブセットの各要素を指す。
【０１５２】
本明細書で開示した方法に対し、本発明の範囲から逸脱することなく、修正、追加、または省略がなされ得る。方法には、より多数のステップ、より少数のステップ、または他のステップが含まれ得る。加えて、各ステップは、任意の好適な順序で実行されてよい。
【０１５３】
特定の実施形態の観点で本開示を説明してきたが、各実施形態の代替形態および置換形態は、当業者には明白であろう。したがって、各実施形態に関する上記の記述は、本開示を制約するものではない。その他の変更、代用、および代替は、本開示の趣旨および範囲から逸脱することなしに可能である。本開示の趣旨および範囲は、以下の各請求項によって規定される。
以上の記述において用いた略称を以下に示す。
３ＧＰＰ  第３世代パートナシッププロジェクト
ＢＳ  基地局
ＢＬＥＲ  ブロックエラー率
ＢＳＣ  基地局コントローラ
ＢＷ  帯域幅
ＣＡ  キャリアアグリゲーション
ＣＤＭＡ２０００  符号分割多元接続２０００
ＣＲＳ  セル固有参照信号
ＣＳＩ  チャネル状態情報
ＣＳＩ−ＲＳ  チャネル状態情報参照シンボル
Ｄ２Ｄ  デバイスツーデバイス
ＤＬ  ダウンリンク
ＤＭＲＳ  復調用参照シンボル
ＤＲＳ  発見参照信号
ＤＲＸ  不連続受信
ｅＮＢ  エンハンスドＮｏｄｅ−Ｂ
Ｅ−ＵＴＲＡＮ  エボルブドユニバーサル地上無線アクセスネットワーク
Ｅ−ＵＴＲＡ  エボルブドユニバーサル地上無線アクセス
ＦＤＤ  周波数分割複信
ＧＳＭ  移動通信用グローバルシステム
ＨＳＰＡ  高速パケットアクセス
ＬＡＮ  ローカルエリアネットワーク
ＬＴＥ  ロングタームエボリューション
Ｍ２Ｍ  マシンツーマシン
ＭＡＣ  メディアアクセス制御
ＭＡＮ  メトロポリタンエリアネットワーク
ＭＩＭＯ  多入力多出力
ＭＴＣ  マシン型通信
ＯＴＤＯＡ  到着観測時間差
ＰＣｅｌｌ  プライマリセル
ＰＣＩ  物理セル識別子
ＰＲＳ  測位参照信号
ＰＳＣ  プライマリサービングセル
ＰＳＴＮ  公衆交換電話網
ＰＳＳ  プライマリ同期信号
ＲＡＴ  無線アクセス技術
ＲＥ  リソースエレメント
ＲＢ  リソースブロック
ＲＩＰ  受信干渉電力
ＲＬＭ  無線リンク管理
ＲＮＣ  無線ネットワークコントローラ
ＲＲＣ  無線リソース制御
ＲＲＭ  無線リソース管理
ＲＳＲＰ  参照信号受信電力
ＲＳＲＱ  参照シンボル受信品質
ＲＳＴＤ  参照信号時間差
ＳＣｅｌｌ  セカンダリセル
ＳＩＮＲ  信号対干渉雑音比
ＳＮＲ  信号対雑音比
ＳＳＣ  セカンダリサービングセル
ＳＳＳ  セカンダリ同期信号
ＴＡ  タイムアドバンス
ＵＥ  ユーザ機器
ＵＬ  アップリンク
ＵＭＴＳ  ユニバーサル移動遠隔通信システム
ＵＴＲＡ  ユニバーサル地上無線アクセス
ＷＬＡＮ  ワイヤレスローカルエリアネットワーク
ＷＡＮ  ワイドエリアネットワーク
ＷｉＭＡＸ  マイクロ波アクセス用全世界相互運用規格
【図１】
0006545809.tif 000002
【図２】
0006545809.tif 000003
【図３】
0006545809.tif 000004
【図４】
0006545809.tif 000005
【図５】
0006545809.tif 000006
【図６】
0006545809.tif 000007
【図７】
0006545809.tif 000008
【図８Ａ】
0006545809.tif 000009
【図８Ｂ】
0006545809.tif 000010
【図９Ａ】
0006545809.tif 000011
【図９Ｂ】
0006545809.tif 000012